(57)【要約】  本発明による液晶表示装置（１００）は、アクティブマトリクス基板と、対向基板と、アクティブマトリクス基板および対向基板の間に設けられた垂直配向型の液晶層とを備える液晶パネル（２００）を用意する工程と、無彩色を示す場合、階調レベルのそれぞれについて、液晶パネル（２００）の正面方向の色度を得るとともに、２つの画素に属する青サブ画素の輝度を調整可能な範囲で変化させて液晶パネル（２００）の斜め方向の色度の調整可能範囲を求める工程と、階調レベルの全範囲のうちの少なくとも一部の階調レベルについて、液晶パネルの斜め方向の色度が調整可能範囲内で液晶パネルの正面方向の色度に最も近くなるように青サブ画素の輝度を設定する工程とを包含する。
2011010637.tif 000002
【特許請求の範囲】
【請求項１】
アクティブマトリクス基板と、対向基板と、前記アクティブマトリクス基板および前記対向基板の間に設けられた垂直配向型の液晶層とを備える液晶パネルを用意する工程であって、前記液晶パネルは、それぞれが複数のサブ画素を含む複数の画素を有しており、前記複数のサブ画素は赤サブ画素、緑サブ画素および青サブ画素を含み、前記複数のサブ画素のそれぞれは輝度の異なり得る複数の領域を有している、工程と、
入力信号において前記複数の画素のうちの隣接する２つの画素のそれぞれが互いに等しい階調レベルの無彩色を示す場合、前記階調レベルのそれぞれについて、前記液晶パネルの正面方向の色度を得るとともに、前記２つの画素に属する青サブ画素の輝度を調整可能な範囲で変化させて前記液晶パネルの斜め方向の色度の調整可能範囲を求める工程と、
前記階調レベルの全範囲のうちの少なくとも一部の階調レベルについて、前記液晶パネルの斜め方向の色度が前記調整可能範囲内で前記液晶パネルの正面方向の色度に最も近くなるように青サブ画素の輝度を設定する工程と
を包含する、液晶表示装置の製造方法。
【請求項２】
前記青サブ画素の輝度を設定する工程において、前記階調レベルのそれぞれについて、前記液晶パネルの正面方向の色度は前記液晶パネルの斜め方向の色度よりも低い、請求項１に記載の液晶表示装置の製造方法。
【請求項３】
前記青サブ画素の輝度を設定する工程において、前記階調レベルのそれぞれについての前記調整可能範囲内の最も低い色度を前記階調レベルの全範囲にわたって結んだ最低色度線が複数の変曲点を有する場合、前記複数の変曲点のうちの隣接する２つの変曲点の間の階調レベルにおいて前記液晶パネルの斜め方向の色度は前記調整可能範囲内の最も低い色度とは異なる、請求項２に記載の液晶表示装置の製造方法。
【請求項４】
前記青サブ画素の輝度を設定する工程において、前記液晶パネルの斜め方向の色度が前記２つの変曲点の間を略直線的に変化するように前記青サブ画素の輝度を設定する、請求項３に記載の液晶表示装置の製造方法。
【請求項５】
前記青サブ画素の輝度を設定する工程において、
前記２つの変曲点の間の前記階調レベルでは、前記液晶パネルの前記２つの画素のうちの一方の画素に含まれる前記青サブ画素の輝度を他方の画素に含まれる前記青サブ画素の輝度と異ならせ、
前記液晶パネルの斜め方向の色度が前記調整可能範囲内の最も低い色度である場合、前記液晶パネルの前記２つの画素のうちの一方の画素に含まれる前記青サブ画素の輝度を前記他方の画素に含まれる前記青サブ画素の輝度と略等しくする、請求項４に記載の液晶表示装置の製造方法。
【請求項６】
前記青サブ画素の輝度を設定する工程において、
前記２つの変曲点の間のうちのある部分の前記階調レベルでは、前記液晶パネルの前記２つの画素のうちの一方の画素に含まれる前記青サブ画素の輝度を他方の画素に含まれる前記青サブ画素の輝度と略等しくし、
前記２つの変曲点の間のうちの別の部分の前記階調レベルでは、前記液晶パネルの前記２つの画素のうちの一方の画素に含まれる前記青サブ画素の輝度を前記他方の画素に含まれる前記青サブ画素の輝度と異ならせる、請求項３に記載の液晶表示装置の製造方法。
【発明の詳細な説明】
【技術分野】
【０００１】
本発明は、液晶表示装置の製造方法に関する。
【背景技術】
【０００２】
液晶表示装置は、携帯電話の表示部等の小型の表示装置だけでなく大型テレビジョンとしても利用されている。従来しばしば用いられたＴＮ（Ｔｗｉｓｔｅｄ  Ｎｅｍａｔｉｃ）モードの液晶表示装置の視野角は比較的狭かったが、近年、ＩＰＳ（Ｉｎ−Ｐｌａｎｅ―Ｓｗｉｔｃｈｉｎｇ）モードおよびＶＡ（Ｖｅｒｔｉｃａｌ  Ａｌｉｇｎｍｅｎｔ）モードといった広視野角の液晶表示装置が作製されている。そのような広視野角のモードの中でも、ＶＡモードは高コントラスト比を実現できるため、多くの液晶表示装置に採用されている。【０００３】
しかしながら、ＶＡモードの液晶表示装置では、斜め方向から見た場合に階調反転が発生することがある。このような階調反転を抑制するために、１つの画素領域に複数の液晶ドメインを形成するＭＶＡ（Ｍｕｌｔｉ−ｄｏｍａｉｎ  Ｖｅｒｔｉｃａｌ  Ａｌｉｇｎｍｅｎｔ）モードが採用されている。ＭＶＡモードの液晶表示装置には、垂直配向型液晶層を挟んで対向する一対の基板のうちの少なくとも一方の液晶層側に配向規制構造が設けられている。配向規制構造は、例えば、電極に設けられた線状のスリット（開口部）またはリブ（突起構造）である。配向規制構造により、液晶層の片側または両側から配向規制力が付与され、配向方向の異なる複数の液晶ドメイン（典型的には４つの液晶ドメイン）が形成され、階調反転が抑制されている。【０００４】
また、ＶＡモードの別の一種として、ＣＰＡ（Ｃｏｎｔｉｎｕｏｕｓ  Ｐｉｎｗｈｅｅｌ  Ａｌｉｇｎｍｅｎｔ）モードも知られている。一般的なＣＰＡモードの液晶表示装置では対称性の高い形状を有する画素電極が設けられるとともに液晶ドメインの中心に対応して対向基板の液晶層側に開口部や突起物が設けられている。この突起物はリベットとも呼ばれる。電圧を印加すると、対向電極と対称性の高い画素電極とによって形成される斜め電界にしたがって液晶分子は放射形状に傾斜配向する。また、リベットが設けられている場合、リベットの傾斜側面の配向規制力によって液晶分子の傾斜配向が安定化される。このように、１画素内の液晶分子が放射形状に配向することにより、階調反転が抑制されている。【０００５】
しかしながら、視野角特性の問題点として、正面観測時のγ特性と斜め観測時のγ特性が異なるという問題、すなわちγ特性の視野角依存性の問題が新たに顕在化してきた。γ特性とは、表示輝度の階調依存性である。γ特性が正面方向と斜め方向とで異なると、階調表示状態が観測方向によって異なることとなるため、写真等の画像を表示する場合や、ＴＶ放送等を表示する場合に特に問題となる。【０００６】
垂直配向モードにおけるγ特性の視野角依存性は、斜め観測時の表示輝度が本来の表示輝度よりも高くなってしまう現象（「白浮き」と呼ばれる）として視認される。白浮きが発生すると、画素によって表示される色が正面方向から見たときと斜め方向から見たときとで異なってしまうという問題も発生する。【０００７】
γ特性の視野角依存性を低減する手法として、例えば、特許文献１および特許文献２にマルチ画素駆動と呼ばれる手法が提案されている。この手法では、１つのサブ画素を２つの領域に分割し、それぞれの領域に異なる電圧を印加することによってγ特性の視野角依存性を低減している。【０００８】
また、一般的な液晶表示装置では、通常、ＲＧＢ原色（すなわち、赤、緑および青）を加法混色することにより、色表現を行っている。一般に、カラー表示パネルの各画素は、ＲＧＢ原色に対応して赤、緑および青サブ画素を有している。このような表示装置は３原色表示装置とも呼ばれる。３原色表示装置の表示パネルに、ＲＧＢ信号に変換可能なＹＣｒＣｂ（ＹＣＣ）信号が入力され、ＹＣｒＣｂ信号に基づいて赤、緑および青サブ画素の輝度が変化することにより、多様な色が表現される。以下の説明において、最低階調レベル（例えば、階調レベル０）に対応するサブ画素の輝度（輝度レベル）を「０」と表し、最高階調レベル（例えば、階調レベル２５５）に対応するサブ画素の輝度を「１」と表す。赤、緑および青サブ画素の輝度は「０」から「１」までの範囲内で制御される。【０００９】
すべてのサブ画素、すなわち、赤、緑および青サブ画素の輝度が「０」である場合、画素によって表示される色は黒である。反対に、すべてのサブ画素の輝度が「１」である場合、画素によって表示される色は白である。ただし、最近のＴＶセットでは、ユーザーでも色温度を調整できるようになっていることが多く、その際、各サブ画素の輝度を微調整することによって色温度の調整が行われる。ここでは、所望の色温度調整後のサブ画素の輝度を「１」とする。【００１０】
ここで、一般的な３原色表示装置において、画素によって表示される色が黒から白に無彩色のまま変化する場合の各サブ画素の輝度の変化を説明する。はじめ、画素によって表示される色は黒であり、赤、緑および青サブ画素の輝度は「０」である。赤、緑および青サブ画素の輝度の増加を開始する。赤、緑および青サブ画素の輝度は等しい割合で増加する。赤、緑および青サブ画素の輝度が増加するほど、画素によって表示される色の明度が増加する。赤、緑および青サブ画素の輝度が増加して「１」に達すると、画素によって表示される色は白となる。このように、等しい割合で赤、緑および青サブ画素の輝度を変化させることにより、無彩色の明度を変化させることができる。【００１１】
しかしながら、厳密にみると、無彩色の明度を変化させる場合、画素によって表示される色が変化することがある（例えば、特許文献３参照）。特許文献３には、無彩色の明度を変化させる場合に、青サブ画素の値が赤および緑サブ画素の値よりも高くなるようにガンマ補正を行うことが開示されている。特許文献３の液晶表示装置では、ｓＲＧＢの色空間をＰＣＳ（Ｐｒｏｆｉｌｅ  Ｃｏｎｎｃｅｔｉｏｎ  Ｓｐａｃｅ）を介して液晶表示パネルの色空間に変換した後で、中間階調において青サブ画素の値が赤および緑サブ画素の値よりも高いガンマ曲線を利用してガンマ補正処理を行っており、これにより、明度の変化に応じた無彩色の変化が抑制される。このような処理は独立ガンマ補正処理とも呼ばれる。
【先行技術文献】
【特許文献】
【００１２】
【特許文献１】特開２００４−６２１４６号公報
【特許文献２】特開２００４−７８１５７号公報
【特許文献３】特開２００１−３１２２５４号公報
【発明の概要】
【発明が解決しようとする課題】
【００１３】
本願発明者は、ＶＡモードの液晶表示装置において、正面から見た場合に適切な無彩色が表示されていても、斜め方向から見ると無彩色が色味を帯びているように見えてしまい、表示品位が低下することがあることを見出した。【００１４】
本発明は、上記課題を鑑みてなされたものであり、その目的は、斜め方向からの表示品位の低下を抑制した液晶表示装置の製造方法を提供することにある。
【課題を解決するための手段】
【００１５】
本発明による液晶表示装置の製造方法は、アクティブマトリクス基板と、対向基板と、前記アクティブマトリクス基板および前記対向基板の間に設けられた垂直配向型の液晶層とを備える液晶パネルを用意する工程であって、前記液晶パネルは、それぞれが複数のサブ画素を含む複数の画素を有しており、前記複数のサブ画素は赤サブ画素、緑サブ画素および青サブ画素を含み、前記複数のサブ画素のそれぞれは輝度の異なり得る複数の領域を有している、工程と、入力信号において前記複数の画素のうちの隣接する２つの画素のそれぞれが互いに等しい階調レベルの無彩色を示す場合、前記階調レベルのそれぞれについて、前記液晶パネルの正面方向の色度を得るとともに、前記２つの画素に属する青サブ画素の輝度を調整可能な範囲で変化させて前記液晶パネルの斜め方向の色度の調整可能範囲を求める工程と、前記階調レベルの全範囲のうちの少なくとも一部の階調レベルについて、前記液晶パネルの斜め方向の色度が前記調整可能範囲内で前記液晶パネルの正面方向の色度に最も近くなるように青サブ画素の輝度を設定する工程とを包含する。【００１６】
ある実施形態では、前記青サブ画素の輝度を設定する工程において、前記階調レベルのそれぞれについて、前記液晶パネルの正面方向の色度は前記液晶パネルの斜め方向の色度よりも低い。【００１７】
ある実施形態では、前記青サブ画素の輝度を設定する工程において、前記階調レベルのそれぞれについての前記調整可能範囲内の最も低い色度を前記階調レベルの全範囲にわたって結んだ最低色度線が複数の変曲点を有する場合、前記複数の変曲点のうちの隣接する２つの変曲点の間の階調レベルにおいて前記液晶パネルの斜め方向の色度は前記調整可能範囲内の最も低い色度とは異なる。【００１８】
ある実施形態では、前記青サブ画素の輝度を設定する工程において、前記液晶パネルの斜め方向の色度が前記２つの変曲点の間を略直線的に変化するように前記青サブ画素の輝度を設定する。【００１９】
ある実施形態では、前記青サブ画素の輝度を設定する工程において、前記２つの変曲点の間の前記階調レベルでは、前記液晶パネルの前記２つの画素のうちの一方の画素に含まれる前記青サブ画素の輝度を他方の画素に含まれる前記青サブ画素の輝度と異ならせ、前記液晶パネルの斜め方向の色度が前記調整可能範囲内の最も低い色度である場合、前記液晶パネルの前記２つの画素のうちの一方の画素に含まれる前記青サブ画素の輝度を前記他方の画素に含まれる前記青サブ画素の輝度と略等しくする。【００２０】
ある実施形態では、前記青サブ画素の輝度を設定する工程において、前記２つの変曲点の間のうちのある部分の前記階調レベルでは、前記液晶パネルの前記２つの画素のうちの一方の画素に含まれる前記青サブ画素の輝度を他方の画素に含まれる前記青サブ画素の輝度と略等しくし、前記２つの変曲点の間のうちの別の部分の前記階調レベルでは、前記液晶パネルの前記２つの画素のうちの一方の画素に含まれる前記青サブ画素の輝度を前記他方の画素に含まれる前記青サブ画素の輝度と異ならせる。
【発明の効果】
【００２１】
本発明によれば、斜め方向からの表示品位の低下を抑制した液晶表示装置を製造することができる。
【図面の簡単な説明】
【００２２】
【図１】本発明による液晶表示装置の実施形態を示す模式図である。
【図２】（ａ）は図１に示した液晶表示装置における液晶パネルを示す模式図であり、（ｂ）は液晶パネルの色再現範囲を示す色度図である。
【図３】（ａ）は図１に示した液晶表示装置において各画素の構成を示す模式図であり、（ｂ）は液晶パネルにおける青サブ画素の構成を示す模式図である。
【図４】図１に示した液晶表示装置において各画素に属する青サブ画素の輝度変化を示す模式図である。
【図５】（ａ）は図１に示した液晶表示装置における液晶パネルの正面方向の色度の測定を説明するための模式図であり、（ｂ）は斜め方向の色度の測定を説明するための模式図である。
【図６】図１に示した液晶表示装置における液晶パネルの正面方向の色度および斜め方向の色度の調整可能範囲を示すグラフである。
【図７】図１に示した液晶表示装置の液晶パネルの正面方向および斜め方向における測色値を示すグラフである。
【図８】図１に示した液晶表示装置の液晶パネルの正面方向および斜め方向の色度の変化を示すグラフである。
【図９】図１に示した液晶表示装置の作製過程における出力階調レベルの変化を示すグラフである。
【図１０】図１に示した液晶表示装置の作製過程において斜め方向の色度ｙの範囲を示すグラフである。
【図１１】図１に示した液晶表示装置において斜め方向の色度ｙの変化を示すグラフである。
【図１２】図１に示した液晶表示装置において斜め方向の色度ｘの変化を示すグラフである。
【図１３】図１に示した液晶表示装置における補正部の構成を示す模式図である。
【図１４】図１に示した液晶表示装置における液晶パネルの斜め方向の色度ｙの変化を示すグラフである。
【図１５】図１に示した液晶表示装置における液晶パネルの斜め方向の色度ｘ、ｙの変化を示すグラフである。
【図１６】図１に示した液晶表示装置における液晶パネルの斜め方向の色度ｙの変化を示すグラフである。
【図１７】図１に示した液晶表示装置における液晶パネルの斜め方向の色度ｘ、ｙの変化を示すグラフである。
【図１８】図１に示した液晶表示装置において、隣接する画素に属する青サブ画素の階調レベルが異なる場合の輝度レベルの変化を示す模式図である。
【図１９】（ａ）および（ｃ）は青サブ画素の輝度の調整が行われない場合の液晶パネルの模式図であり、（ｂ）および（ｄ）は青サブ画素の輝度の調整が行われる場合の液晶パネルの模式図である。
【図２０】本実施形態の液晶表示装置の変形例における補正部の構成を示す模式図である。
【図２１】（ａ）〜（ｃ）は、図１に示した液晶表示装置の液晶パネルの模式図である。
【図２２】図１に示した液晶表示装置の液晶パネルの断面構造を模式的に示す部分断面図である。
【図２３】図１に示した液晶表示装置の液晶パネルの１つのサブ画素に対応する領域を模式的に示す平面図である。
【図２４】（ａ）および（ｂ）は、図１に示した液晶表示装置の液晶パネルの１つのサブ画素に対応する領域を模式的に示す平面図である。
【図２５】図１に示した液晶表示装置の液晶パネルの１つのサブ画素に対応する領域を模式的に示す平面図である。
【図２６】本実施形態の液晶表示装置の変形例における補正部の構成を示す模式図である。
【図２７】本実施形態の変形例の液晶表示装置を示す模式図である。
【発明を実施するための形態】
【００２３】
以下、図面を参照して、本発明による液晶表示装置の実施形態を説明する。ただし、本発明は、以下の実施形態に限定されるものではない。
【００２４】
以下、本発明による液晶表示装置の実施形態を説明する。図１に、本実施形態の液晶表示装置１００の模式図を示す。液晶表示装置１００は、液晶パネル２００と、補正部３００とを備えている。液晶パネル２００は複数の行および複数の列のマトリクス状に配列された複数の画素を含んでいる。ここでは、液晶パネル２００において画素は赤、緑および青サブ画素を有している。本明細書の以下の説明において、液晶表示装置を単に「表示装置」と呼ぶことがある。
【００２５】
入力信号は、例えば、ガンマ値２．２のブラウン管（Ｃａｔｈｏｄｅ  Ｒａｙ  Ｔｕｂｅ：ＣＲＴ）に対応可能な信号であり、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）規格に準拠している。入力信号は、赤、緑および青サブ画素の階調レベルｒ、ｇおよびｂを示しており、一般に、階調レベルｒ、ｇ、ｂは８ビットで表記される。あるいは、この入力信号は、赤、緑および青サブ画素の階調レベルｒ、ｇおよびｂに変換可能な値を有しており、この値は３次元で表される。図１では、入力信号の階調レベルｒ、ｇ、ｂをまとめてｒｇｂと示している。なお、入力信号がＢＴ．７０９規格に準拠している場合、入力信号に示された階調レベルｒ、ｇおよびｂは、それぞれ最低階調レベル（例えば、階調レベル０）から最高階調レベル（例えば、階調レベル２５５）までの範囲内にあり、赤、緑および青サブ画素の輝度は「０」から「１」の範囲内にある。入力信号は例えば、ＹＣｒＣｂ信号である。入力信号に示された階調レベルｒｇｂは補正部３００を介して入力された液晶パネル２００において輝度レベルに変換され、輝度レベルに応じた電圧が液晶パネル２００の液晶層２６０（図２（ａ））に印加される。
【００２６】
上述したように、３原色の液晶表示装置において、赤、緑および青サブ画素の階調レベルまたは輝度レベルがゼロの場合に画素は黒を表示し、赤、緑および青サブ画素の階調レベルまたは輝度レベルが１の場合に画素は白を表示する。また、液晶表示装置では、ＴＶセットで所望の色温度に調整した後の赤、緑および青サブ画素の最高輝度を「１」とした時、無彩色を表示する場合、赤、緑および青サブ画素の階調レベルまたは輝度レベルの最高輝度との比は互いに等しい。このため、画素によって表示される色が黒から無彩色を維持したまま白に変化する場合、赤、緑および青サブ画素の階調レベルまたは輝度レベルの最高輝度との比は互いに等しいまま増加する。なお、以下の説明では、液晶パネルにおける各サブ画素の輝度が最低輝度に相当する場合、各サブ画素は非点灯であるともいい、各サブ画素の輝度が最低輝度よりも高い輝度を示す場合、各サブ画素は点灯しているともいう。
【００２７】
入力信号に示された階調レベルｒｇｂは少なくともある条件下において補正部３００において補正される。例えば、補正部３００は、入力信号に示された階調レベルｒおよびｇに対して補正を行わないが、階調レベルｂを階調レベルｂ’に補正する。液晶表示装置１００では補正部３００により、斜め方向からの無彩色の色度変化が抑制される。
【００２８】
図２（ａ）に、液晶パネル２００の模式図を示す。液晶パネル２００は、絶縁基板２２２上に設けられた画素電極２２４および配向膜２２６を有するアクティブマトリクス基板２２０と、絶縁基板２４２上に設けられた対向電極２４４および配向膜２４６を有する対向基板２４０と、アクティブマトリクス基板２２０と対向基板２４０との間に設けられた液晶層２６０とを備えている。アクティブマトリクス基板２２０および対向基板２４０には図示しない偏光板が設けられており、偏光板の透過軸はクロスニコルの関係を有している。また、アクティブマトリクス基板２２０には図示しない配線および絶縁層等が設けられており、対向基板２４０には図示しないカラーフィルタ層等が設けられている。液晶層２６０の厚さはほぼ一定である。液晶パネル２００には、複数の画素が複数の行および複数の列のマトリクス状に配列されている。画素は画素電極２２４によって規定されており、赤、緑および青サブ画素は画素電極２２４の分割されたサブ画素電極によって規定される。なお、後述するように、液晶パネル２００ではサブ画素電極がさらに複数の電極に分離されている。
【００２９】
液晶パネル２００はＶＡモードで動作する。配向膜２２６、２４６は垂直配向膜である。液晶層２６０は垂直配向型の液晶層である。ここで、「垂直配向型液晶層」とは、垂直配向膜２２６、２４６の表面に対して、液晶分子軸（「軸方位」ともいう。）が約８５°以上の角度で配向した液晶層をいう。液晶層２６０は負の誘電異方性を有するネマチック液晶材料を含んでおり、クロスニコル配置された偏光板と組み合わせて、ノーマリーブラックモードで表示が行われる。液晶層２６０に電圧が印加されない場合、液晶層２６０の液晶分子２６２は配向膜２２６、２４６の主面の法線方向とほぼ平行に配向する。液晶層２６０に所定の電圧よりも高い電圧が印加される場合、液晶層２６０の液晶分子２６２は配向膜２２６、２４６の主面とほぼ平行に配向する。また、液晶層２６０に高い電圧が印加される場合、液晶分子２６２はサブ画素内またはサブ画素の特定の領域内で対称的に配向し、これにより、視野角特性の改善が図られる。なお、ここでは、アクティブマトリクス基板２２０および対向基板２４０は配向膜２２６、２４６をそれぞれ有していたが、アクティブマトリクス基板２２０および対向基板２４０の少なくとも一方が対応する配向膜２２６、２４６を有していてもよい。ただし、配向の安定性の観点から、アクティブマトリクス基板２２０および対向基板２４０の両方が配向膜２２６、２４６をそれぞれ有していることが好ましい。
【００３０】
図２（ｂ）に、ＸＹＺ表色系におけるｘｙ色度図を示す。赤、緑、青の三原色に対応した３つの点を頂点とする三角形が液晶パネル２００の色再現範囲を表している。
【００３１】
図３（ａ）に、液晶パネル２００に設けられた画素および画素に含まれるサブ画素の配列を示す。図３（ａ）には、例示として、３行３列の画素を示している。各画素には、３つのサブ画素、すなわち、赤サブ画素Ｒ、緑サブ画素Ｇ、青サブ画素Ｂが設けられている。液晶パネル２００では、赤サブ画素Ｒ、緑サブ画素Ｇ、青サブ画素Ｂを含む１つの画素によって１つの色が表現される。各サブ画素の輝度は独立に制御可能である。なお、液晶パネル２００のカラーフィルタの配列は図３（ａ）に示した構成に対応している。
【００３２】
液晶表示装置１００において、３つのサブ画素Ｒ、ＧおよびＢのそれぞれは分割された２つの領域を有している。具体的には、赤サブ画素Ｒは、第１領域Ｒａおよび第２領域Ｒｂを有しており、同様に、緑サブ画素Ｇは、第１領域Ｇａおよび第２領域Ｇｂを有しており、青サブ画素Ｂは、第１領域Ｂａおよび第２領域Ｂｂを有している。
【００３３】
各サブ画素Ｒ、Ｇ、Ｂの異なる領域の輝度の値は異なるように制御可能であり、これにより、表示画面を正面方向から観察したときのガンマ特性と斜め方向から観察したときのガンマ特性とが異なるというガンマ特性の視野角依存性を低減することができる。ガンマ特性の視野角依存性の低減については、特開２００４−６２１４６号公報や特開２００４−７８１５７号公報に開示されている。各サブ画素Ｒ、Ｇ、Ｂの異なる領域の輝度が異なるように制御することにより、上記特開２００４−６２１４６号公報や特開２００４−７８１５７号公報の開示と同様に、ガンマ特性の視野角依存性を低減するという効果が得られる。なお、このような赤、緑および青サブ画素Ｒ、ＧおよびＢの構造は分割構造とも呼ばれる。本明細書の以下の説明において、第１、第２領域のうち輝度の高い領域を明領域と呼び、輝度の低い領域を暗領域と呼ぶことがある。
【００３４】
以下の説明において、便宜上、最低階調レベル（例えば、階調レベル０）に対応するサブ画素の輝度レベルを「０」と表し、最高階調レベル（例えば、階調レベル２５５）に対応するサブ画素の輝度レベルを「１」と表す。輝度レベルが等しくても、赤、緑および青サブ画素の実際の輝度は異なり、輝度レベルは、各サブ画素の最高輝度に対する比を示している。例えば、入力信号において画素の色が黒を示す場合、入力信号に示された階調レベルｒ、ｇ、ｂのすべてが最低階調レベル（例えば、階調レベル０）であり、また、入力信号において画素の色が白を示す場合、階調レベルｒ、ｇ、ｂのすべてが最高階調レベル（例えば、階調レベル２５５）である。また、以下の説明において、階調レベルを最高階調レベルで規格化し、階調レベルを「０」から「１」の範囲で示すこともある。
【００３５】
液晶表示装置１００では、黒から白に向かって無彩色の明度が変化する場合、入力信号における各サブ画素の階調レベルは等しい割合で増加する。具体的には、はじめ、画素によって表示される色は黒であり、赤、緑、青サブ画素の輝度は「０」である。赤、緑、青サブ画素の階調レベルの増加を開始すると、各サブ画素の一方の領域（この領域が明領域となる。）の輝度の増加が開始する。次いで、明領域の輝度が所定の値まで増加すると、次に他方の領域（この領域が暗領域となる）の輝度の増加が開始する。赤、緑、青サブ画素の階調レベルが等しい割合で増加するほど、画素によって表示される無彩色の明度が増加する。赤、緑、青サブ画素の輝度が増加して「１」に達すると、画素によって表示される色は白となる。
【００３６】
図３（ｂ）に、液晶表示装置１００における青サブ画素Ｂの構成を示す。なお、図３（ｂ）に図示していないが、赤サブ画素Ｒおよび緑サブ画素Ｇも同様の構成を有している。
【００３７】
青サブ画素Ｂは、２つの領域ＢａおよびＢｂを有しており、領域Ｂａ、Ｂｂに対応する分離電極２２４ａ、２２４ｂには、それぞれＴＦＴ２３０ａ、ＴＦＴ２３０ｂ、および補助容量２３２ａ、２３２ｂが接続されている。ＴＦＴ２３０ａおよびＴＦＴ２３０ｂのゲ−ト電極はゲート配線Ｇａｔｅに接続され、ソース電極は共通の（同一の）ソース配線Ｓに接続されている。補助容量２３２ａ、２３２ｂは、それぞれ補助容量配線ＣＳ１および補助容量配線ＣＳ２に接続されている。補助容量２３２ａおよび２３２ｂは、それぞれ分離電極２２４ａおよび２２４ｂに電気的に接続された補助容量電極と、補助容量配線ＣＳ１およびＣＳ２に電気的に接続された補助容量対向電極と、これらの間に設けられた絶縁層（不図示）によって形成されている。補助容量２３２ａおよび２３２ｂの補助容量対向電極は互いに独立しており、それぞれ補助容量配線ＣＳ１およびＣＳ２から互いに異なる補助容量対向電圧が供給され得る。このため、ＴＦＴ２３０ａ、２３０ｂがオンのときにソース配線Ｓを介して分離電極２２４ａ、２２４ｂに電圧が供給された後、ＴＦＴ２３０ａ、２３０ｂがオフになり、さらに、補助容量配線ＣＳ１およびＣＳ２の電位が異なるように変化する場合、分離電極２２４ａの実効電圧は分離電極２２４ｂの実効電圧と異なることになり、結果として、第１領域Ｂａの輝度は第２領域Ｂｂの輝度と異なる。
【００３８】
本実施形態の液晶表示装置１００では、図１に示した補正部３００により、少なくともある条件下において、隣接する２つの画素に属する青サブ画素を１単位として青サブ画素の輝度の調整を行う。例えば、補正部３００は、入力信号において隣接する２つの画素に属する青サブ画素の階調レベルが等しい場合であっても、液晶パネル２００において当該２つの青サブ画素の輝度が異なるように階調レベルの補正を行う。なお、以下の説明において、２つの青サブ画素のうち、高輝度の青サブ画素を明青サブ画素と呼び、低輝度の青サブ画素を暗青サブ画素と呼ぶ。液晶パネル２００における隣接する２つの画素に属する青サブ画素の輝度の和は、入力信号に示された隣接する２つの青サブ画素の階調レベルに対応する輝度の和に相当している。例えば、補正部３００は、行方向に隣接する２つの画素に属する青サブ画素の階調レベルに対して補正を行う。
【００３９】
図４に、液晶表示装置１００における液晶パネル２００を示す。図４において、行方向に隣接する２つの画素に着目し、その一方の画素をＰ１と示し、画素Ｐ１に属する赤、緑および青サブ画素をそれぞれＲ１、Ｇ１およびＢ１と示す。また、他方の画素をＰ２と示し、画素Ｐ２に属する赤、緑よび青サブ画素をそれぞれＲ２、Ｇ２およびＢ２と示す。
【００４０】
例えば、入力信号において全ての画素によって表示される色がある中間階調の無彩色である場合、液晶パネル２００において隣接する２つの画素のうち一方の画素Ｐ１に属する赤および緑サブ画素Ｒ１、Ｇ１の輝度は、他方の画素Ｐ２に属する赤および緑サブ画素Ｒ２、Ｇ２の輝度とそれぞれ等しいが、一方の画素Ｐ１に属する青サブ画素Ｂ１の輝度は、他方の画素Ｐ２に属する青サブ画素Ｂ２の輝度とは異なる。なお、図４では、行方向に沿って隣接する画素に属する青サブ画素の明暗は反転している。
【００４１】
ここで、入力信号において全ての画素が同一階調レベルの無彩色を示しているとし、この階調レベルを基準階調レベルと呼ぶ。液晶表示装置１００では青サブ画素内の領域の輝度は異なるものの、青サブ画素全体のそれぞれの輝度は互いに基準階調レベルに対応する輝度と等しい。また、ある行の画素に属する青サブ画素に着目すると、基準階調レベルに対応する輝度に対して輝度の増大する青サブ画素と輝度の低下する青サブ画素とが交互に配列されている。さらに、列方向に沿って隣接する画素に属する青サブ画素の明暗も反転している。
【００４２】
このように、本実施形態の液晶表示装置１００では、補正部３００により、隣接する２つの画素に属する青サブ画素のうちの一方の青サブ画素の輝度をシフト量ΔＳαだけ増加し、他方の青サブ画素の輝度をシフト量ΔＳβだけ減少する。このため、隣接する画素に属する青サブ画素の輝度は互いに異なり、明青サブ画素の輝度は基準階調レベルに対応する輝度よりも高く、暗青サブ画素の輝度は基準階調レベルに対応する輝度よりも低い。また、例えば、明青サブ画素の輝度と基準階調レベルに対応する輝度との差は、基準階調レベルに対応する輝度と暗青サブ画素の輝度との差と略等しく、理想的には、ΔＳα＝ΔＳβである。なお、上述したように、液晶パネル２００の各サブ画素は複数の領域を有しており、明青サブ画素のなかに明領域および暗領域が存在し、また、暗青サブ画素のなかに明領域および暗領域が存在する。明青サブ画素の明領域の輝度は暗青サブ画素の明領域よりも高く、暗青サブ画素の暗領域の輝度は明青サブ画素の暗領域よりも低い。
【００４３】
本実施形態の液晶表示装置１００は以下のように製造される。まず、液晶パネル２００を用意する。液晶パネル２００は上述したように、アクティブマトリクス基板２２０と、対向基板２４０と、アクティブマトリクス基板２２０および対向基板２４０の間に設けられた垂直配向型の液晶層２６０とを備えている。液晶パネル２００は、それぞれが複数のサブ画素を含む複数の画素を有しており、複数のサブ画素は赤サブ画素、緑サブ画素および青サブ画素を含み、複数のサブ画素のそれぞれは輝度の異なり得る複数の領域を有している。なお、この段階の液晶パネル２００では青サブ画素の輝度の調整を行うための設定は行われておらず、入力信号において隣接する２つの画素がそれぞれ同一階調レベルの無彩色を示す場合、液晶パネル２００における隣接する２つの画素に属する青サブ画素は互いに等しい輝度を示す。
【００４４】
次に、液晶パネル２００の色度特性を測定する。図５を参照して、液晶パネル２００の色度特性の測定方法を説明する。図５（ａ）は液晶パネル２００の正面方向の色度の測定を説明するための模式図である。
【００４５】
信号発生器５１０からの入力信号により、液晶パネル２００の画面全体に無彩色、単色の赤、緑または青が表示される。測定器５２０は液晶パネル２００の画面の正面に配置されており、測定器５２０は液晶パネル２００の輝度および色度を測定する。
【００４６】
制御装置５３０は、信号発生器５１０および測定器５２０を制御する。例えば、制御装置５３０はパーソナルコンピュータである。制御装置５３０は、自動で、信号発生器５１０からの入力信号における無彩色の階調レベルを最低階調レベル（例えば、階調レベル０、黒に相当）から最高階調レベル（例えば、階調レベル２５５、白に相当）まで１階調レベルごとに変化させて、測定器５２０において各階調レベルに対する液晶パネル２００の色度を測定し、測定された色度を記録する。これにより、各階調レベルに対する液晶パネル２００の正面方向の色度ｘ、ｙが得られる。なお、液晶パネル２００にバックライトを取り付ける場合、測定はバックライトの輝度が安定した後で開始することが好ましい。
【００４７】
また、図５（ｂ）は液晶パネル２００の斜め方向の色度の測定を説明するための模式図である。図５（ｂ）では、冗長を避けるために、液晶パネル２００に対する測定器５２０の配置を示しており、信号発生器５１０および制御装置５３０を省略している。測定器５２０は液晶パネル２００に対して斜め方向に配置されている。斜め方向は、画面の法線方向から６０°傾いた方向である。
【００４８】
このような配置において、制御装置５３０は、信号発生器５１０からの入力信号における無彩色の１つの階調レベルに対して隣接する２つの画素に属する青サブ画素の輝度のシフト量ΔＳα、ΔＳβを調整可能範囲で変化させながら液晶パネル２００の斜め方向の色度ｘ、ｙを測定器５２０において測定し、測定された色度を記録する。これにより、各階調レベルに対する液晶パネル２００の斜め方向の色度の調整可能範囲が得られる。
【００４９】
このような測定は、信号発生器５１０からの入力信号における無彩色の階調レベルを最低階調レベル（例えば、階調レベル０、黒に相当）から最高階調レベル（例えば、階調レベル２５５、白に相当）までのすべての階調レベルにわたって行われ、すべての階調レベルにわたって色度の調整可能範囲が得られる。なお、各階調レベルに対する液晶パネル２００の斜め方向の色度の調整可能範囲は実際に測定しなくてもよく、シミュレーションで求めてもよい。例えば、調整可能範囲を求めるためのシミュレーションは、階調レベル毎に、隣接する２つの青サブ画素の輝度レベルの平均値が変化しないように徐々に２つの青サブ画素の輝度レベルの差をゼロから最高出力階調レベルおよび最低出力階調レベルに対応する輝度になるまで拡大していき、その時の斜めの色度を、斜め方向からの測定値に基づいて計算する。計算された色度のうち最高色度と最低色度の間が調整可能範囲となる。なお、図７を参照して後述するように、液晶パネル２００の斜め方向の階調特性は単純に変化するものではないため、最高色度または最低色度を示すのは必ずしも青サブ画素の輝度差が最大の場合ではない。
【００５０】
図６に、階調レベルの変化に対する正面方向の色度の変化、および、斜め方向の色度の調整可能範囲の変化を模式的に示す。なお、厳密には、色度ｘは色度ｙとは異なる変化を示すが、ここでは、簡略化して、色度ｘ、ｙはいずれも階調レベルの変化に対して同様に変化するように示している。また、全ての階調レベルにわたって斜め方向の色度ｘ、ｙはそれぞれ正面方向の色度ｘ、ｙよりも高い。なお、ここでは、正面方向の色度ｘ、ｙも一定ではないが、後述するように、独立ガンマ補正処理が行われてもよく、これにより、色温度の補正とともに階調レベルの変化に対する正面方向の色度の変化が抑制される。
【００５１】
次に、各階調レベルにおいて、斜め方向の色度が調整可能範囲内で液晶パネルの正面方向の色度に最も近くなるように青サブ画素の輝度を設定する。図６に示したグラフでは、階調レベルの全範囲にわたって斜め方向の任意の色度は正面方向の色度よりも高いため、各階調レベルに対して斜め方向の色度が調整可能範囲内で正面方向の色度に最も近くなるように青サブ画素の輝度を設定する。これにより、斜め方向の色度と正面方向の色度との差を低減させることができ、表示品位の低下を抑制できる。このような設定は補正部３００で行われる。例えば、補正部３００は、液晶パネル２００に取り付けられる大規模集積回路（Ｌａｒｇｅ  Ｓｃａｌｅ  Ｉｎｔｅｇｒａｔｉｏｎ：ＬＳＩ）で実現される。以上のようにして本実施形態の液晶表示装置１００は製造される。
【００５２】
なお、斜め方向からの無彩色の色度変化の抑制の観点から、正面方向の色度とは無関係に、斜め方向の色度が階調レベルの変化に対して一定になるように青サブ画素の輝度を設定することも考えられる。この場合、斜め方向の無彩色の色度が変化しないため、表示品位が向上するようにも見えるが、このような設定を行うと、斜め方向の色度と正面方向の色度との差が比較的大きいので、斜め方向の無彩色は正面方向と比べて黄みを帯びて見えてしまう。これに対して、本実施形態の液晶表示装置１００では、斜め方向の色度を調整可能範囲内で正面方向の色度に近くなるように青サブ画素の輝度を設定するため、正面方向の無彩色と斜め方向からの無彩色との違いを抑制することができる。
【００５３】
ここで、仮に、すべての階調レベルに対して補正部３００による青サブ画素の輝度の調整が行われないとした場合、液晶パネル２００を斜め方向から見ると無彩色が黄みを帯びて見えることがある。
【００５４】
図７に、液晶パネル２００において無彩色の明度を変化させた斜め方向の測色値を示す。図７において、規格化Ｘ、ＹおよびＺは階調レベルの変化に対する斜め方向（画面の法線方向から６０°傾いた方向）から見た場合の測色値Ｘ、Ｙ、Ｚのそれぞれの変化を、最高階調レベル（ここでは階調レベル２５５）に対応する輝度を１として規格化したものである。なお、ここでは、すべての階調レベルに対して補正部３００による青サブ画素の輝度の調整は行われない。
【００５５】
液晶パネル２００では正面方向から見た場合の規格化Ｘ、ＹおよびＺは同様に変化しており、図７では、正面方向からみた場合の規格化Ｘ、ＹおよびＺをまとめて「正面」として示している。例えば、最高階調レベルに対して半分の階調レベル（ここでは階調レベル１２８）に対応する輝度は０．２１であり、最高階調レベルに対しての１／４の階調レベル（ここでは階調レベル６４）に対応する輝度は０．０５である。
【００５６】
液晶パネル２００では各サブ画素が２つの領域に分割されており、白浮きはある程度抑制されているが、白浮き現象のさらなる抑制の観点からは、斜め方向からの規格化Ｘ、ＹおよびＺはいずれも、低階調から高階調にわたって正面方向と同程度に低いことが好ましい。また、規格化Ｘ、ＹおよびＺの変化を比較すると、規格化Ｘ、Ｙは互いに略同様に変化するのに対して、規格化Ｚは、低階調から中間階調まで規格化Ｘ、Ｙよりも高く、中間階調においてほぼ等しくなるが、規格化Ｚは中間階調から再び規格化Ｘ、Ｙよりも高くなり、階調レベル２００を超えると規格化Ｘ、Ｙよりも低くなる。
【００５７】
このように、液晶パネル２００において無彩色のまま明度を変化させる場合、低階調から中間階調および中間階調から階調レベル２００まで規格化Ｚが規格化Ｘ、Ｙよりも高いが、中間階調付近および階調レベル２００を超えると、規格化Ｚは規格化Ｘ、Ｙ以下となる。このため、斜め方向から見た色を正面方向から見た色と比較すると、斜め方向から見た色は低階調から中間階調および中間階調から階調レベル２００において正面方向から見た色と比べて青色にシフトして見える。
【００５８】
その一方、見る位置を斜め方向に固定して無彩色のまま階調レベルを変化させると、中間階調および階調レベル２００を超えた場合の色は相対的に黄みを帯びて見える。以下の説明において無彩色が黄色を帯びて見えることを「黄色シフト」とも呼ぶ。黄色シフトは、規格化Ｚと規格化Ｘ、Ｙとの差が小さくなる範囲（図７において範囲Ａ）、および、規格化Ｚが規格化Ｘ、Ｙよりも小さくなる範囲（図７において範囲Ｂ）で発生する。
【００５９】
図８に、すべての階調レベルに対して補正部３００による青サブ画素の輝度の調整を行わない場合の液晶パネル２００における正面方向および斜め方向の色度ｘおよびｙの変化を示す。黄色シフトが発生する階調レベルの範囲Ａおよび範囲Ｂでは、階調レベルの変化に対して色度が反転している。
【００６０】
このように、青サブ画素の輝度の調整が行われない場合、規格化Ｚが規格化Ｘ、Ｙ以下になると、黄色シフトが発生する。このため、例えば、斜め方向の規格化Ｘ、Ｙを変更することなく規格化Ｚのみを適切に制御することができれば、黄色シフトを抑制できると考えられる。また、一般に、青サブ画素の輝度の変化は規格化Ｚに大きく影響するのに対して規格化Ｘ、Ｙに対してそれほど影響しないため、補正部３００により、青サブ画素の輝度を調整すれば、黄色シフトを効率的に抑制可能と考えられる。そのため、本実施形態の液晶表示装置１００では、補正部３００により、青サブ画素の輝度の調整を行っている。
【００６１】
また、青サブ画素の輝度の調整を行うことにより、厳密には青の解像度の低下が生じるが、実際には無彩色またはそれに近い色における青の解像度の低下は人間の視覚特性上それほど気にならない。これは、人間の眼に対する青の解像度は他の色と比べて低いためである。特に、中間階調の無彩色のように画素に属するサブ画素のそれぞれが点灯する場合、青サブ画素の名目上の解像度が低下しても、実質的な解像度の低下は認識されにくい。このようなことからも、青サブ画素の階調レベルの補正は他のサブ画素の階調レベルの補正よりも効果的である。
【００６２】
このため、液晶表示装置１００では、少なくともある条件下において青サブ画素の輝度の調整が行われるように青サブ画素の輝度は設定されている。液晶表示装置１００では、青サブ画素の輝度を設定するのに先立ち、斜め方向の色度の調整可能範囲が求められる。
【００６３】
図９に、本実施形態の液晶表示装置１００における青サブ画素の入力階調レベルに対する出力階調レベルを示す。補正部３００による補正が行われない場合、出力階調レベルは基準階調レベルとなるが、補正部３００による輝度の調整を最大範囲で行う場合、隣接する２つの画素のうちの一方の画素に属する青サブ画素は最高出力階調レベルとなり、他方の画素に属する青サブ画素は最低出力階調レベルとなる。補正部３００による輝度の調整の程度により、各入力階調レベルに対する出力階調レベルは基準階調レベルに対して最高出力階調レベルと最低出力階調レベルとの範囲内で変動する。なお、ある階調レベルに対して明青サブ画素の輝度と暗青サブ画素の輝度の平均が一定となるように明青サブ画素および暗青サブ画素の階調レベルは設定される。
【００６４】
図１０に、液晶パネル２００の色度ｙの調整可能範囲を示す。図１０では、各階調レベルに対して、調整可能範囲のうちの最も高い色度を最高色度と示し、最も低い色度を最低色度と示している。調整可能範囲内であれば、２つの画素に属する青サブ画素の輝度の調整により、色度を自由に設定することができる。なお、図１０には、参考のために、補正部３００による補正が行われない場合の斜め方向の色度の変化も示しており、この変化は図８に示した斜めｙを拡大したものである。図６を参照して上述したように、正面方向の色度ｙは斜め方向の調整可能範囲内の任意の色度よりも低いため、液晶パネル２００の斜め方向の色度ｙは、調整可能範囲の最低色度になるように調整される。
【００６５】
具体的には、階調レベル０から階調レベル９５の範囲において、補正部３００による補正が行われない場合、液晶パネル２００の斜め方向の色度は調整可能範囲のうちの最低色度となる。同様に、階調レベル１３７から階調レベル１９４の範囲、および、階調レベル２４６から階調レベル２５５の範囲において、補正部３００による補正が行われない場合、液晶パネル２００の斜め方向の色度は調整可能範囲のうちの最低色度となる。したがって、入力信号における階調レベルが階調レベル０から階調レベル９５の範囲、階調レベル１３７から階調レベル１９４の範囲、および、階調レベル２４６から階調レベル２５５の範囲内である場合、補正部３００による補正を行わないことにより、液晶パネル２００の斜め方向の色度を調整可能範囲のうちの最低色度とすることができる。
【００６６】
これに対して、階調レベル９６から階調レベル１３６の範囲、および、階調レベル１９５から２４５の範囲において、補正部３００による青サブ画素の輝度の調整が行われないと、液晶パネル２００の斜め方向の色度は調整可能範囲内の最低色度とは異なる色度になる。この場合、液晶パネル２００において画素の色度が最低色度となるように青サブ画素の輝度を設定することにより、斜め方向の色度と正面方向の色度との差を低減させることができる。なお、この場合、階調レベルの大きく異なる２つの値（例えば、階調レベル３０と階調レベル２２４）との間では色度の差は比較的大きいが、連続する階調レベルにおける色度の差は比較的小さいため、階調レベルに応じた色度の変化はそれほど問題にならない。
【００６７】
また、ここでは図示しないが、同様に、液晶パネル２００において、正面方向の色度ｘは斜め方向からの調整可能範囲内の任意の色度よりも低いため、液晶パネル２００の斜め方向の色度ｘは調整可能範囲内の最低色度になるように調整される。具体的には、階調レベル０から階調レベル９５の範囲、階調レベル１３７から階調レベル１９４の範囲、および、階調レベル２４６から階調レベル２５５の範囲において、補正部３００による補正を行わないことにより、液晶パネル２００の斜め方向の色度は調整可能範囲のうちの最低色度となる。また、階調レベル９６から階調レベル１３７の範囲および階調レベル１９５から２４５の範囲において補正部３００による補正を行うことにより、液晶パネル２００の斜め方向の色度は調整可能範囲のうちの最低色度となる。
【００６８】
なお、図１０から理解されるように、各階調レベルにおいて調整可能範囲内の最も低い色度を全階調レベルにわたって結んだ線を最低色度線と呼ぶと、最低色度線は４つの変曲点を有しており、最低色度線には隣接する２つの変曲点の間において凹部が形成されている。このように最低色度線が変曲点を有する場合、隣接する変曲点の間で無彩色の色度が比較的大きく変化するため、斜め方向から見た液晶パネル２００の無彩色が青みを帯びて見えることがある。
【００６９】
この場合、色度が隣接する２つの変曲点の間を理想的にはほぼ直線的に変化するように青サブ画素の輝度を設定してもよい。この設定により、隣接する変曲点の間の階調レベルにおいて、斜め方向の色度は、補正部３００による補正が行われなかった場合の色度と調整可能範囲内の最低色度との間の値となる。これにより、斜め方向から見た場合の液晶パネル２００の無彩色の青みを抑制することができる。
【００７０】
図１１に、液晶パネル２００における色度ｙの変化を示す。この場合も、階調レベル０から階調レベル９５の範囲において、補正部３００による補正が行われず、液晶パネル２００の斜め方向の色度は調整可能範囲のうちの最低色度となる。同様に、階調レベル１３７から階調レベル１９４の範囲、および、階調レベル２４６から階調レベル２５５の範囲において、補正部３００による補正が行われず、液晶パネル２００の斜め方向の色度は調整可能範囲のうちの最低色度となる。このように、入力信号における階調レベルが階調レベル０から階調レベル９５の範囲、階調レベル１３７から階調レベル１９４の範囲、および、階調レベル２４６から階調レベル２５５の範囲内である場合、補正部３００による補正を行わないことにより、液晶パネル２００の斜め方向の色度は調整可能範囲のうちの最低色度となる。
【００７１】
これに対して、ここでも、階調レベル９６から階調レベル１３６の範囲Ａ、および、階調レベル１９５から階調レベル２４５の範囲Ｂにおいて、補正部３００による補正を行う。ただし、ここでは、隣接する２つの変曲点の間で色度がほぼ直線的に変化するように青サブ画素の輝度が設定される。なお、図１１には、参考のために、補正部３００による補正が行われない場合の色度の変化を示している。この場合、斜め方向から液晶パネル２００を見ると、黄色シフトが観測される。
【００７２】
図１２に、液晶パネル２００における色度ｘの変化を示す。色度ｙと同様に、色度ｘについても、階調レベル０から階調レベル９５の範囲において、補正部３００による補正が行われず、液晶パネル２００の斜め方向の色度は調整可能範囲のうちの最低色度となる。同様に、階調レベル１３７から階調レベル１９４の範囲、および、階調レベル２４６から階調レベル２５５の範囲において、補正部３００による補正が行われず、液晶パネル２００の斜め方向の色度は調整可能範囲のうちの最低色度となる。このように、入力信号における階調レベルが階調レベル０から階調レベル９５の範囲内または階調レベル１３７から階調レベル１９４の範囲内である場合、補正部３００による補正を行わないことにより、液晶パネル２００の斜め方向の色度は調整可能範囲のうちの最低色度となる。
【００７３】
これに対して、階調レベル９６から階調レベル１３６の範囲Ａ、および、階調レベル１９５から階調レベル２４５の範囲Ｂにおいて、補正部３００による補正を行うことにより、色度が隣接する２つの変曲点をほぼ直線的に変化するように青サブ画素の輝度が設定される。なお、図１２にも、参考のために、補正部３００による補正が行われない場合の色度の変化を示している。この場合、斜め方向から液晶パネル２００を見ると、黄色シフトが観測される。
【００７４】
以上のように設定された液晶表示装置１００では、入力信号における無彩色の階調レベルが属している範囲に応じて補正部３００による補正が行われるか否かが変わる。入力信号における無彩色の階調レベルが範囲Ａ、Ｂとは異なる範囲内にある場合、補正部３００による補正が行われず、液晶表示装置１００において２つの画素に属する青サブ画素の輝度は互いに等しい。一方、入力信号における無彩色の階調レベルが範囲Ａまたは範囲Ｂ内にある場合、補正部３００による補正が行われ、液晶表示装置１００において２つの画素に属する青サブ画素の輝度は互いに異なる。このように、所定の範囲内の階調レベルにおいて補正部３００による補正の有無を変化させて必要な部分のみを補正するため、すべての階調を補正する場合と比べて中間階調表示を安定して行うとともに補正のための調整時間を短縮することができる。
【００７５】
以下、図１３を参照して、補正部３００の具体的な構成を説明する。図１３において、入力信号に示された階調レベルｒ１、ｇ１、ｂ１は図４に示した画素Ｐ１に属する各サブ画素Ｒ１、Ｇ１、Ｂ１の階調レベルに相当するものであり、入力信号に示された階調レベルｒ２、ｇ２、ｂ２は画素Ｐ２に属する各サブ画素Ｒ２、Ｇ２、Ｂ２の階調レベルに相当するものである。階調レベルｒ１、ｒ２、ｇ１、ｇ２は補正部３００において補正されないのに対して、階調レベルｂ１およびｂ２は以下のように補正される。補正部３００は、青サブ画素Ｂ１、Ｂ２の輝度レベルのシフト量ΔＳα、ΔＳβを求める。
【００７６】
まず、加算部３１０ｂを用いて階調レベルｂ１と階調レベルｂ２の平均が求められる。以下の説明において、階調レベルｂ１およびｂ２の平均を平均階調レベルｂaveと示す。
【００７７】
階調差レベル部３２０は、１つの平均階調レベルｂaveに対して２つの階調差レベルΔｂα、Δｂβを与える。階調差レベルΔｂαは明青サブ画素に対応しており、階調差レベルΔｂβは暗青サブ画素に対応している。
【００７８】
このように、階調差レベル部３２０において平均階調レベルｂaveに対応して２つの階調差レベルΔｂα、Δｂβが与えられる。階調差レベル部３２０は、平均階調レベルｂaveに対して、ルックアップテーブルを参照して階調差レベルΔｂα、Δｂβを決定してもよい。あるいは、階調差レベル部３２０は、所定の演算により、平均階調レベルｂaveに基づいて階調差レベルΔｂα、Δｂβを決定してもよい。
【００７９】
次に、階調輝度変換部３３０は、階調差レベルΔｂαを輝度差レベルΔＹbαに変換し、階調差レベルΔｂβを輝度差レベルΔＹbβに変換する。輝度差レベルΔＹbα、ΔＹbβが大きくなるほどシフト量ΔＳα、ΔＳβは大きくなる。
【００８０】
黄色シフトは、入力信号に示された画素の色の彩度が高いほど認識されにくくなり、反対に、入力信号に示された画素の色が無彩色に近いほど顕著になる。このように、入力信号に示された画素の色に応じて黄色シフトの程度は異なる。入力信号に示された画素の色は以下のようにしてシフト量ΔＳα、ΔＳβに反映される。
【００８１】
加算部３１０ｒを用いて階調レベルｒ１と階調レベルｒ２との平均が求められる。また、加算部３１０ｇを用いて階調レベルｇ１と階調レベルｇ２との平均が求められる。以下の説明において、階調レベルｒ１およびｒ２の平均を平均階調レベルｒaveと示し、階調レベルｇ１およびｇ２の平均を平均階調レベルｇaveと示す。
【００８２】
彩度判定部３４０は入力信号に示された画素の彩度を判定する。彩度判定部３４０は平均階調レベルｒave、ｇave、ｂaveを利用して彩度係数ＨＷを求める。彩度係数ＨＷは彩度が高くなるほど減少する関数である。以下の説明において、ＭＡＸ＝ＭＡＸ（ｒave，ｇave，ｂave）とし、ＭＩＮ＝ＭＩＮ（ｒave，ｇave，ｂave）とすると、彩度係数ＨＷは、例えばＨＷ＝ＭＩＮ／ＭＡＸと表される。ただし、ｂave＝０の場合に彩度係数ＨＷは０である。あるいは、青の彩度だけに着目し、例えば、ｂave≧ｒave、ｂave≧ｇaveかつｂave＞０の場合にＨＷ＝ＭＩＮ／ＭＡＸと表し、また、ｂave＜ｒaveおよびｂave＜ｇaveの少なくとも一方を満たす場合にＨＷ＝１としてもよい。
【００８３】
次に、シフト量ΔＳα、ΔＳβを求める。シフト量ΔＳαはΔＹbαと彩度係数ＨＷとの積によって表され、シフト量ΔＳβはΔＹbβと彩度係数ＨＷとの積によって表される。乗算部３５０は輝度差レベルΔＹbα、ΔＹbβと彩度係数ＨＷとの乗算を行い、これにより、シフト量ΔＳα、ΔＳβが得られる。
【００８４】
また、階調輝度変換部３６０ａが階調レベルｂ１に対して階調輝度変換を行い、輝度レベルＹb1を得る。輝度レベルＹb1は例えば以下の式にしたがって得られる。
Ｙb1＝ｂ１2.2（ここで、０≦ｂ１≦１）
同様に、階調輝度変換部３６０ｂは階調レベルｂ２に対して階調輝度変換を行い、輝度レベルＹb2を得る。
【００８５】
次に、加減算部３７０ａにおいて輝度レベルＹb1とシフト量ΔＳαとを加算し、さらに、輝度階調変換部３８０ａにおいて輝度階調変換を行うことにより、補正の行われた階調レベルｂ１’が得られる。また、加減算部３７０ｂにおいて輝度レベルＹb2からシフト量ΔＳβを減算し、さらに、輝度階調変換部３８０ｂにおいて輝度階調変換を行うことにより、補正の行われた階調レベルｂ２’が得られる。その後、液晶パネル２００に入力される。
【００８６】
階調差レベル部３２０において階調差レベルΔｂα、Δｂβが与えられることに伴い、階調レベルｂ１’はｂ１＋Δｂ１となり、階調レベルｂ２’はｂ２−Δｂ２となる。以上のように階調レベルｂ１’、ｂ２’により、青サブ画素Ｂ１は輝度レベルＹb1とシフト量ΔＳαとの和に相当する輝度を示し、青サブ画素Ｂ２は輝度レベルＹb2とシフト量ΔＳβとの差に相当する輝度を示す。
【００８７】
ここで、例として入力信号における階調レベルｂ１、ｂ２を階調レベル０．５とする。また、入力信号における階調レベルｒ１、ｒ２、ｇ１およびｇ２を階調レベル０．５とする。この場合、階調輝度変換部３６０ａ、３６０ｂにおける階調輝度変換により、輝度レベルＹb1、Ｙb2はそれぞれ０．２１８（＝０．５2.2）となる。また、ここでは、ΔＹbα、ΔＹbβはそれぞれ０．１３３（＝０．４2.2）であり、彩度係数ＨＷが１であるため、シフト量ΔＳα、ΔＳβは０．１３３である。この場合、輝度階調変換部３８０ａにおいて得られる階調レベルｂ１’は最高階調レベルを２５５として表記すると階調レベル１５８（＝（０．２１８＋０．１３３）1/2.2×２５５）となり、輝度階調変換部３８０ｂにおいて得られる階調レベルｂ２’は階調レベル８２（＝（０．２１８―０．１３３）1/2.2×２５５）となる。なお、液晶表示装置１００の液晶パネル２００では、上述したように、各青サブ画素は輝度の異なり得る領域を有しており、明青サブ画素の明領域および暗領域の輝度は平均して階調レベル１５８に相当する輝度になり、暗青サブ画素の明領域および暗領域の輝度は平均して階調レベル８２に相当する輝度になる。以上から、同じ輝度差レベルΔＹbαおよびΔＹbβと等しいシフト量ΔＳαおよびΔＳβの加減算を行った結果を階調レベルに換算して、補正前の階調レベルと比較すると、Δｂ１＝３０（＝１５８−１２８）、Δｂ２＝４６（＝１２８−８２）となる。このように、Δｂ１とΔｂ２は同じ値にはならない。
【００８８】
また、補正部３００では、シフト量ΔＳα、ΔＳβは彩度係数ＨＷをパラメータとして含む関数で表される。例えば、最高階調レベルを２５５として表記すると（ｒave，ｇave，ｂave）が（１２８，１２８，１２８）である場合、彩度係数ＨＷが１であるため、シフト量ΔＳα、ΔＳβは０．１３３となるのに対して、（ｒave，ｇave，ｂave）が（０，０，１２８）である場合、すなわち、非点灯のサブ画素がある場合、彩度係数ＨＷが０となり、シフト量ΔＳα、ΔＳβは０となる。また、（ｒave，ｇave，ｂave）がこれら中間の（６４，６４，１２８）である場合、ＨＷ＝０．５となり、シフト量ΔＳα、ΔＳβは０．１３３×０．５（ＨＷが１．０の場合の半分の値）になる。このように、入力信号に示された画素に属する青サブ画素の補正は、入力信号に示された画素の彩度に応じて行われる。また、シフト量ΔＳα、ΔＳβは入力信号における画素の彩度に応じて連続的に変化し、表示特性の突発的な変化が抑制される。なお、彩度係数ＨＷが０の場合（例えば、入力信号において彩度の高い青が示される場合）、入力信号に示された階調レベルｂ１（＝ｂ２）と階調レベルｂ１’、ｂ２’がそれぞれ同じ値になる。このように彩度係数ＨＷを用いることにより、非点灯のサブ画素がある場合、入力信号における青サブ画素の階調レベルと同じ階調レベルが出力されることになり、青の解像度の低下が起こらない。一方、入力信号において各サブ画素の階調レベルが互いに略等しい場合、厳密には青の解像度の低下が生じるが、実際には無彩色またはそれに近い色における青の解像度の低下は人間の視覚特性上それほど気にならない。さらに、彩度係数ＨＷは、非点灯のサブ画素がある場合と無彩色の場合との間で連続的に変化する関数であるため、表示上の突発的な変化を抑制することができる。
【００８９】
なお、上述した説明では、青サブ画素の輝度の調整を行わない場合、色度ｘの変曲点に対応する階調レベルは色度ｙの変曲点に対応する階調レベルと略一致していたが、本発明はこれに限定されない。液晶パネルの材料や構造等、または、製造方法や調整方法に応じて青サブ画素の輝度の調整を行わない場合の色度ｘの変曲点に対応する階調レベルは色度ｙの変曲点に対応する階調レベルと略一致しなくてもよい。
【００９０】
また、上述した説明では、液晶パネル２００の斜め方向の色度が隣接する２つの変曲点の間を略直線的に変化するように、２つの変曲点に対応する階調レベルの範囲全体にわたって青サブ画素の輝度の調整を行ったが、本発明はこれに限定されない。例えば、液晶パネル２００の斜め方向の色度が隣接する２つの変曲点の間で略直線的に変化すると、黄色シフトや青色シフトが抑制されても、無彩色が他の色（例えば、マゼンタ）を帯びて見えることがある。この場合、例えば、２つの変曲点に対応する階調レベルの範囲内のある部分では青サブ画素の輝度の調整を行わず、上記範囲内の別の部分では青サブ画素の輝度の調整を行ってもよい。
【００９１】
図１４に、液晶パネル２００の色度ｙの変化を示す。図１４でも、各階調レベルに対して、調整可能範囲のうちの最も高い色度を最高色度と示し、最も低い色度を最低色度と示している。なお、図１４には、参考のために、補正部３００による補正が行われない場合の斜め方向の色度の変化も示している。また、上述したように、正面方向の色度ｙは斜め方向の調整可能範囲内の任意の色度よりも低い。なお、図１４に示した液晶パネル２００は、図１１および図１２に示した液晶パネルとは異なり、階調レベルに対する色度の調整可能範囲が比較的大きく変動している。液晶パネルの材料、構造等、または、製造方法や調整方法のいずれかが異なることにより、調整可能範囲の変化が異なることがある。
【００９２】
この液晶パネル２００では、階調レベル０から階調レベル１０４の範囲において、補正部３００による補正が行われない場合、液晶パネル２００の斜め方向の色度は調整可能範囲のうちの最低色度と略等しい。同様に、階調レベル１４５から階調レベル１９９の範囲、および、階調レベル２５１から階調レベル２５５の範囲において、補正部３００による補正が行われない場合、液晶パネル２００の斜め方向の色度は調整可能範囲のうちの最低色度と略等しい。したがって、入力信号における階調レベルが階調レベル０から階調レベル１０４の範囲、階調レベル１４５から階調レベル１９９の範囲、および、階調レベル２５１から階調レベル２５５の範囲内である場合、補正部３００による補正を行わないことにより、液晶パネル２００の斜め方向の色度を調整可能範囲のうちの最低色度と略等しくすることができる。
【００９３】
これに対して、階調レベル１０５から階調レベル１４４の範囲、および、階調レベル２００から階調レベル２５０の範囲において、補正部３００による青サブ画素の輝度の調整が行われないと、液晶パネル２００の斜め方向の色度は調整可能範囲内の最低色度と大きく異なることになり、斜め方向から液晶パネル２００を見ると黄色シフトが観測される。したがって、液晶パネル２００の斜め方向の色度ｙが最低色度線の隣接する２つの変曲点の間を略直線的に変化するように階調レベル１０５から階調レベル１４４の範囲、および、階調レベル２００から階調レベル２５０の範囲において青サブ画素の輝度の調整が行われる。しかしながら、このように補正を行う場合、無彩色が他の色を帯びて見えてしまうことがある。
【００９４】
図１５に、ｘｙ色度図を示す。図１５において、補正無しは、階調レベル１０５から階調レベル１４４までの範囲全体にわたって青サブ画素の輝度の調整を行わなかった場合の液晶パネル２００の斜め方向の色度の変化を示し、変曲点間全補正は、階調レベル１０５から階調レベル１４４までの範囲全体にわたって青サブ画素の輝度を調整した場合の液晶パネル２００の斜め方向の色度の変化を示す。
【００９５】
青サブ画素の輝度の調整が行われない場合、２つの変曲点に対応する階調レベルの範囲において階調レベル１０５から階調レベル１３０の範囲まで増加するのに伴って色度ｘ、ｙはいずれも大きく増加するため、無彩色が黄色にシフトして見えることがある。これに対して、液晶パネル２００の斜め方向の色度が２つの変曲点の間を略直線的に変化するように青サブ画素の輝度の調整を行う場合、図１５において丸で囲んだ部分において無彩色はマゼンタを帯びて見えることがある。具体的には、階調レベル１０５から階調レベル１４４の範囲全体にわたって青サブ画素の輝度の調整を行う場合、階調レベルの増加に伴って色度ｙが増加するが、色度ｘは、階調レベル１０５から階調レベル１２０になるまで増加し、階調レベル１２０付近においていったん減少し、その後、再び増加する。このように、２つの変曲点に対応する階調レベル１０５から階調レベル１４４の範囲全体にわたって青サブ画素の輝度の調整を行う場合、階調レベルの増加に伴って色度ｙに対する色度ｘの変化率が大きく変化し、無彩色がマゼンタを帯びて見えることがある。
【００９６】
このように無彩色がシフトして見える場合、図１に示した補正部３００は、２つの変曲点に対応する階調レベルの範囲全体にわたって青サブ画素の輝度の調整をするのではなく、２つの変曲点に対応する階調レベルの範囲内のある部分において青サブ画素の輝度の調整を行わず、上記範囲内の別の部分において青サブ画素の輝度の調整を行う。具体的には、マゼンタにシフトする階調レベル（ここでは、一方の階調レベルに対応する階調レベル１０５から階調レベル１１５の範囲）では青サブ画素の輝度の調整を行わず、マゼンタにシフトしなくなる階調レベル１１６から他方の変曲点の階調レベル１４４の範囲において液晶パネル２００の斜め方向の色度が略直線的に変化するように青サブ画素の輝度の調整を行う。
【００９７】
図１６は、液晶パネル２００の色度ｙの変化を示す。図１６でも、各階調レベルに対して、調整可能範囲のうちの最も高い色度を最高色度と示し、最も低い色度を最低色度と示している。なお、図１６において、丸で囲んだ部分は、上述したように、２つの変曲点に対応する階調レベルの範囲全体にわたって青サブ画素の輝度の調整を行う場合に無彩色がマゼンタを帯びて見えた部分を示している。
【００９８】
上述したように、この液晶パネル２００では、階調レベル０から階調レベル１０４の範囲において、補正部３００による補正が行われない場合、液晶パネル２００の斜め方向の色度は調整可能範囲のうちの最低色度と略等しい。同様に、階調レベル１４５から階調レベル１９９の範囲、および、階調レベル２５１から階調レベル２５５の範囲において、補正部３００による補正が行われない場合、液晶パネル２００の斜め方向の色度は調整可能範囲のうちの最低色度と略等しい。したがって、入力信号における階調レベルが階調レベル０から階調レベル１０４の範囲、階調レベル１４５から階調レベル１９９の範囲、および、階調レベル２５１から階調レベル２５５の範囲内である場合、補正部３００による補正を行わないことにより、液晶パネル２００の斜め方向の色度を調整可能範囲のうちの最低色度と略等しくすることができる。
【００９９】
これに対して、階調レベル１０５から階調レベル１１５の範囲において、補正部３００による青サブ画素の輝度の調整が行われないことにより、無彩色のシフトを抑制することができる。なお、階調レベル１１６から階調レベル１４４の範囲、および、階調レベル２００から階調レベル２５０の範囲において、補正部３００による青サブ画素の輝度の調整が行われないと、液晶パネル２００の斜め方向の色度は調整可能範囲内の最低色度と大きく異なることになり、斜め方向から液晶パネル２００を見ると黄色シフトが観測される。このため、階調レベル１１６から階調レベル１４４の範囲において、液晶パネル２００の斜め方向の色度ｙが階調レベル１１６および１４４に対応する色度の間を略直線的に変化するように青サブ画素の輝度の調整が行われる。また、階調レベル２００から階調レベル２５０の範囲において、液晶パネル２００の斜め方向の色度ｙが２つの変曲点の間を略直線的に変化するように青サブ画素の輝度の調整が行われる。
【０１００】
図１７に、ｘｙ色度図を示す。図１７において、変曲点間全補正は、階調レベル１０５から階調レベル１４４までの範囲全体にわたって青サブ画素の輝度を調整した場合の液晶パネル２００の色度の変化を示す。また、変曲点間一部補正は、階調レベル１０５から階調レベル１１５において青サブ画素の輝度の調整を行わず、階調レベル１１６から階調レベル１４４において青サブ画素の輝度を調整した場合の液晶パネル２００の色度の変化を示す。なお、参考のために、図１７には、階調レベル１０５から階調レベル１４４にわたって青サブ画素の輝度の調整を行わなかった場合の液晶パネル２００の色度の変化も示している。
【０１０１】
変曲点間全補正では、階調レベルの増加に伴って色度ｙに対する色度ｘの変化率が大きく変化するのに対して、変曲点間一部補正では、色度ｙに対する色度ｘの変化率はほとんど変化しない。このため、階調レベルの変化に対する色度ｘ、ｙの変化は全体的になだらかになっており、無彩色のシフトが抑制される。このように、無彩色が他の色にシフトする階調レベルでは補正を行わず、他の色にシフトしない階調レベルで補正を行うことにより、液晶パネル２００の斜め方向の色度は全体的になだらかに変化し、無彩色が他の色にシフトすることを抑制することができる。
【０１０２】
なお、上述したように、液晶パネル２００において画素は複数の領域を有しており、青サブ画素Ｂ１の階調レベルｂ１’は明領域および暗領域によって実現され、青サブ画素Ｂ２の階調レベルｂ２’は明領域および暗領域によって実現される。また、マルチ画素駆動が行われる場合、ここではその詳細を省略するが、青サブ画素Ｂ１およびＢ２の領域Ｂａ、Ｂｂへの輝度レベルＹb1、Ｙb2の分配は、液晶パネル２００の構造とその設計値で決定される。具体的な設計値としては、青サブ画素Ｂ１の領域ＢａとＢｂの輝度の平均は、青サブ画素の階調レベルｂ１’またはｂ２’に対応する輝度と一致するようになっている。なお、上述した説明ではマルチ画素駆動が行われていたが、上述したように液晶パネル２００の構造によって領域Ｂａ、Ｂｂへの輝度分配が行われるものであれば、マルチ画素駆動に限定されない。
【０１０３】
また、上述した説明では、入力信号に示された階調レベルｂ１は階調レベルｂ２と等しかったが、本発明はこれに限定されない。入力信号に示された階調レベルｂ１は階調レベルｂ２と異なってもよい。ただし、階調レベルｂ１が階調レベルｂ２と異なる場合、図１３に示した階調輝度変換部３６０ａにおいて階調輝度変換の行われた輝度レベルＹb1は階調輝度変換部３６０ｂにおいて階調輝度変換の行われた輝度レベルＹb2とは異なる。特にテキスト表示時など隣接画素の階調レベルの差が大きい場合、輝度レベルＹb1と輝度レベルＹb2との差は顕著に大きくなる。
【０１０４】
具体的には、階調レベルｂ１が階調レベルｂ２よりも高い場合、輝度階調変換部３８０ａにおいて輝度レベルＹb1とシフト量ΔＳαとの和に輝度階調変換が行われ、輝度階調変換部３８０ｂにおいて輝度レベルＹb2とシフト量ΔＳβとの差に輝度階調変換が行われる。この場合、図１８に示すように、階調レベルｂ１’に対応する輝度レベルＹb1’は階調レベルｂ１に対応する輝度レベルＹb1よりもシフト量ΔＳαだけさらに高くなり、階調レベルｂ２’に対応する輝度レベルＹb2’は階調レベルｂ２に対応する輝度レベルＹb2よりもシフト量ΔＳβだけさらに低くなり、階調レベルｂ１’に対応する輝度と階調レベルｂ２’に対応する輝度との差が階調レベルｂ１に対応する輝度と階調レベルｂ２に対応する輝度との差よりも大きくなってしまう。
【０１０５】
ここで、２行２列に配列された４つの画素Ｐ１〜Ｐ４に着目する。画素Ｐ１〜Ｐ４はそれぞれ左上、右上、左下、右下に配列されている。また、画素Ｐ１〜Ｐ４に対応する入力信号における青サブ画素の階調レベルをｂ１〜ｂ４とする。図４を参照して上述したように、入力信号における各サブ画素が同じ色を示す場合、すなわち、階調レベルｂ１〜ｂ４が互いに等しい場合、階調レベルｂ１’は階調レベルｂ２’よりも高く、また、階調レベルｂ４’は階調レベルｂ３’よりも高い。
【０１０６】
また、入力信号において画素Ｐ１、Ｐ３が高階調を示し、画素Ｐ２、Ｐ４が低階調を示し、画素Ｐ１、Ｐ３と画素Ｐ２、Ｐ４との間に表示の境界が形成されるとする。階調レベルｂ１、ｂ２はｂ１＞ｂ２であり、階調レベルｂ３、ｂ４はｂ３＞ｂ４である。この場合、階調レベルｂ１’に対応する輝度と階調レベルｂ２’に対応する輝度との差が階調レベルｂ１に対応する輝度と階調レベルｂ２に対応する輝度との差よりも大きくなる。これに対して、階調レベルｂ３’に対応する輝度と階調レベルｂ４’に対応する輝度との差は階調レベルｂ３に対応する輝度と階調レベルｂ４に対応する輝度との差よりも小さくなる。
【０１０７】
なお、上述したように、入力信号に示された色が単色（例えば、青）の場合、彩度係数ＨＷが０または０に近いため、シフト量が減少し、入力信号がそのまま出力されるため解像度が維持できる。しかしながら、無彩色の場合、彩度係数ＨＷが１または１に近いため、補正前と比べて画素列ごとに輝度差が大きくなったり小さくなったりして、エッジなどが「がたがた」するように見えてしまい解像度が損なわれることがある。なお、階調レベルｂ１とｂ２が等しいかまたは近い場合は、人間の視覚特性上あまり気にならないが、階調レベルｂ１と階調レベルｂ２との差が大きいほど、この傾向は顕著になる。
【０１０８】
以下、図１９を参照して具体的に説明する。ここでは、入力信号において輝度の比較的低い無彩色（暗いグレー）の背景に１画素分の幅で輝度の比較的高い無彩色（明るいグレー）の直線を表示することとする。この場合、理想的には、観察者には、比較的明るいグレーの直線が認識される。
【０１０９】
図１９（ａ）に、補正部３００による青サブ画素の階調レベルの補正が行われない場合の液晶パネル２００における青サブ画素の輝度を示す。ここでは、入力信号に示された４つの画素Ｐ１〜Ｐ４の青サブ画素の階調レベルｂ１〜ｂ４において、階調レベルｂ１、ｂ２はｂ１＞ｂ２の関係を有しており、階調レベルｂ３、ｂ４はｂ３＞ｂ４の関係を有している。この場合、液晶パネル２００では、４つの画素Ｐ１〜Ｐ４の青サブ画素は、入力信号に示された階調レベルｂ１〜ｂ４に対応する輝度を呈する。
【０１１０】
図１９（ｂ）に、補正部３００による青サブ画素の階調レベルの補正が行われた場合の青サブ画素の輝度を示す。図１９（ｂ）でも、２つの領域の輝度を平均化した青サブ画素の輝度を表している。例えば、画素Ｐ１の青サブ画素の階調レベルｂ１’は階調レベルｂ１よりも高くなるとともに画素Ｐ２の青サブ画素の階調レベルｂ２’は階調レベルｂ２よりも低くなる。一方、画素Ｐ３の青サブ画素の階調レベルｂ３’は階調レベルｂ３よりも低くなるとともに画素Ｐ４の青サブ画素の階調レベルｂ４’は階調レベルｂ４よりも高くなる。このように、入力信号に対応する階調レベルに対する階調レベル（輝度）の増減は行方向および列方向に隣接する画素に対して反転して行われる。このため、図１９（ａ）と図１９（ｂ）との比較から理解されるように、補正部３００による青サブ画素の階調レベルの補正により、階調レベルｂ１’と階調レベルｂ２’との差は入力信号に示された階調レベルｂ１と階調レベルｂ２との差よりも大きくなる。また、階調レベルｂ３’と階調レベルｂ４’との差は入力信号に示された階調レベルｂ３と階調レベルｂ４との差よりも小さくなる。この結果、入力信号において比較的高い階調レベルｂ１、ｂ３に対応する画素Ｐ１およびＰ３を含む列に加え、入力信号において比較的低い階調レベルｂ４に対応する画素Ｐ４の青サブ画素も比較的高い輝度を呈することになる。この場合、入力信号には、比較的明るいグレーの直線を表示するための画像が示されているのに対して、液晶表示装置１００では、比較的明るいグレーの直線とともに直線に隣接して青の点線が表示されることになり、グレーの直線の輪郭における表示品質が著しく低下する。
【０１１１】
また、入力信号に示された青サブ画素の階調レベルｂ１〜ｂ４が、ｂ１＜ｂ２およびｂ３＜ｂ４の関係を有する場合、補正部３００による青サブ画素の階調レベルの補正が行われないと、液晶パネル２００において、図１９（ｃ）に示すように、４つの画素Ｐ１〜Ｐ４の青サブ画素は、入力信号に示された階調レベルｂ１〜ｂ４に対応する輝度を呈する。これに対して、補正部３００による青サブ画素の輝度の調整が行われると、図１９（ｄ）に示すように、４つの画素Ｐ１〜Ｐ４の青サブ画素は、補正部３００による青サブ画素の輝度の調整が行わない場合とは異なる輝度を呈する。
【０１１２】
図１９（ｃ）および図１９（ｄ）との比較から理解されるように、補正部３００による青サブ画素の階調レベルの補正により、階調レベルｂ１’と階調レベルｂ２’との差は入力信号に示された階調レベルｂ１と階調レベルｂ２との差よりも大きくなり、階調レベルｂ３’と階調レベルｂ４’との差は入力信号に示された階調レベルｂ３と階調レベルｂ４との差よりも小さくなる。この結果、入力信号において比較的高い階調レベルｂ２、ｂ４に対応する画素Ｐ２およびＰ４を含む列に加え、入力信号において比較的低い階調レベルｂ３に対応する画素Ｐ３の青サブ画素も比較的高い輝度を呈することになる。この場合も、入力信号には、比較的明るいグレーの直線を表示するための画像が示されているのに対して、液晶表示装置１００では、比較的明るいグレーの直線とともに直線に隣接して青の点線が表示されることになり、グレーの直線の輪郭における表示品質が著しく低下する。
【０１１３】
上述した説明では、シフト量ΔＳα、ΔＳβは輝度差レベルΔＹbα、ΔＹbβと彩度係数ＨＷとの積で求められたが、このような現象を回避するため、シフト量ΔＳα、ΔＳβの決定を行う際に別のパラメータを用いてもよい。一般に、画像においてテキスト等に見られるような列方向への直線表示部分の画素と隣接する背景表示に対応する画素とのエッジに相当する部分では、入力信号に示された隣接する画素に含まれる青サブ画素の階調レベルの差が大きいため、彩度係数ＨＷが１に近いと、補正により、隣接する画素に含まれる青サブ画素の階調レベルの差が行ごとに大きく変化し、画質が低下することがある。このため、シフト量ΔＳα、ΔＳβのパラメータとして、入力信号に示される隣接画素の色の連続性を示す連続係数を加えてもよい。階調レベルｂ１と階調レベルｂ２との差が比較的大きい場合では、シフト量ΔＳα、ΔＳβが連続係数に応じて変化することにより、シフト量ΔＳα、ΔＳβはゼロまたは小さくなり、画質の低下を抑制できる。例えば、階調レベルｂ１と階調レベルｂ２との差が比較的小さい場合には、連続係数が大きくなり、隣接する画素に属する青サブ画素の輝度の調整が行われるが、画像の境界領域において階調レベルｂ１と階調レベルｂ２との差が比較的大きい場合には連続係数が小さくなり、青サブ画素の輝度の調整が行われなくてもよい。
【０１１４】
以下、図２０を参照して、上述したように青サブ画素の輝度の調整を行う補正部３００’を説明する。なお、ここでは、連続係数に代えてエッジ係数を用いている。補正部３００’は、エッジ判定部３９０および係数算出部３９５を備える点を除いて、図１３を参照して上述した補正部３００と同様の構成を有しており、冗長を避けるため、重複する説明は省略する。
【０１１５】
エッジ判定部３９０は、入力信号に示された階調レベルｂ１、ｂ２に基づいてエッジ係数ＨＥを得る。エッジ係数ＨＥは隣接する画素に含まれる青サブ画素の階調レベルの差が大きいほど増加する関数である。階調レベルｂ１と階調レベルｂ２との差が比較的大きい場合、すなわち、階調レベルｂ１と階調レベルｂ２の連続性が低い場合、エッジ係数ＨＥは高い。反対に、階調レベルｂ１と階調レベルｂ２との差が比較的小さい場合、すなわち、階調レベルｂ１と階調レベルｂ２の連続性が高い場合、エッジ係数ＨＥは低い。このように、隣接する画素に含まれる青サブ画素の階調レベルの連続性（または上述した連続係数）が低いほど、エッジ係数ＨＥは高く、階調レベルの連続性（または上述した連続係数）が高いほど、エッジ係数ＨＥは低い。
【０１１６】
また、エッジ係数ＨＥは、隣接する画素に含まれる青サブ画素の階調レベルの差に応じて連続的に変化する。例えば、入力信号において、隣接する画素中の青サブ画素の階調レベルの差の絶対値を｜ｂ１−ｂ２｜とし、ＭＡＸ＝ＭＡＸ（ｂ１，ｂ２）とすると、エッジ係数ＨＥはＨＥ＝｜ｂ１−ｂ２｜／ＭＡＸと表される。ただし、ＭＡＸ＝０の場合はＨＥ＝０である。
【０１１７】
次に、係数算出部３９５は、彩度判定部３４０において得られた彩度係数ＨＷ、および、エッジ判定部３９０において得られたエッジ係数ＨＥに基づいて補正係数ＨＣを得る。補正係数ＨＣは、例えば、ＨＣ＝ＨＷ−ＨＥと表される。また、係数算出部３９５において補正係数ＨＣが０〜１の範囲に収まるようにクリッピングが行われてもよい。次に、乗算部３５０は補正係数ＨＣと輝度差レベルΔＹBα、ΔＹBβとの乗算によってシフト量ΔＳα、ΔＳβを得る。
【０１１８】
このように補正部３００’では、彩度係数ＨＷおよびエッジ係数ＨＥに基づいて得られた補正係数ＨＣと輝度差レベルΔＹBα、ΔＹBβとの乗算によってシフト量ΔＳα、ΔＳβを得ている。上述したように、エッジ係数ＨＥは、入力信号に示された隣接する画素に含まれる青サブ画素の階調レベルの差が大きいほど増加する関数であるため、エッジ係数ＨＥの増加に伴い輝度分配を支配する補正係数ＨＣが減少し、エッジのがたがたを抑制できる。また、彩度係数ＨＷは既に述べたように連続的に変化する関数であり、エッジ係数ＨＥも隣接する画素に含まれる青サブ画素の階調レベルの差に応じて連続的に変化する関数であるため、補正係数ＨＣも連続的に変化し、表示上の突発的な変化を抑制できる。
【０１１９】
補正部３００’では、入力信号において隣接する画素が同一階調の無彩色を示し、階調レベルｂ１、ｂ２が互いに等しい場合、階調レベルｂ１’とｂ２’との差は大きく、視野角特性が改善される。一方、入力信号において隣接する画素が階調の大きく異なる無彩色を示し、階調レベルｂ１、ｂ２が大きく異なる場合、階調レベルｂ１’は階調レベルｂ２’と略等しい。この場合、視野角改善効果が低減するが、液晶パネル２００は入力信号に示された階調レベルをそのまま表示するため、エッジの「がたがた」を解消することができる。
【０１２０】
ここで、入力信号において２つの画素が無彩色を示すとする。この場合、ＭＡＸ（ｒave，ｇave，ｂave）＝ＭＩＮ（ｒave，ｇave，ｂave）であり、彩度係数ＨＷ＝１である。
【０１２１】
入力信号における２つの画素の無彩色が同じ階調である場合、例えば、（ｒ１，ｇ１，ｂ１）＝（１００，１００，１００）であり、（ｒ２，ｇ２，ｂ２）＝（１００，１００，１００）である場合、ＭＡＸ（ｒave，ｇave，ｂave）＝１００、ＭＩＮ（ｒave，ｇave，ｂave）＝１００であり、彩度係数ＨＷ＝１である。この場合、階調レベルｂ１は階調レベルｂ２と等しく、エッジ係数ＨＥ＝０であり、補正係数ＨＣ＝１である。したがって、階調レベルｂ１’およびｂ２’はそれぞれ階調レベルｂ１およびｂ２とは大きく異なり、液晶パネル２００における青サブ画素Ｂ１およびＢ２の輝度は入力信号に示された階調レベルｂ１、ｂ２に対応する輝度とは大きく異なる。
【０１２２】
また、入力信号における２つの画素の無彩色の階調が異なる場合、例えば、（ｒ１，ｇ１，ｂ１）＝（１００，１００，１００）であり、（ｒ２，ｇ２，ｂ２）＝（５０，５０，５０）である場合、ＭＡＸ（ｒave，ｇave，ｂave）＝７５、ＭＩＮ（ｒave，ｇave，ｂave）＝７５であり、彩度係数ＨＷ＝１である。この場合、エッジ係数ＨＥ＝０．５（＝│１００−５０│／１００）であり、補正係数ＨＣ＝０．５である。したがって、階調レベルｂ１’およびｂ２’はそれぞれ階調レベルｂ１およびｂ２とは異なり、液晶パネル２００における青サブ画素Ｂ１、Ｂ２の輝度は入力信号に示された階調レベルｂ１、ｂ２に対応する輝度とは異なる。
【０１２３】
一方、入力信号における２つの画素の無彩色の階調が比較的大きく異なる場合、例えば、（ｒ１，ｇ１，ｂ１）＝（１００，１００，１００）であり、（ｒ２，ｇ２，ｂ２）＝（０，０，０）である場合、ＭＡＸ（ｒave，ｇave，ｂave）＝５０、ＭＩＮ（ｒave，ｇave，ｂave）＝５０であり、彩度係数ＨＷ＝１である。この場合、エッジ係数ＨＥ＝１（＝│１００−０│／１００）であり、補正係数ＨＣ＝０である。このように補正係数ＨＣがゼロであると、階調レベルｂ１’は階調レベルｂ１と等しく、階調レベルｂ２’は階調レベルｂ２と等しくなり、液晶パネル２００における青サブ画素Ｂ１、Ｂ２の輝度は入力信号に示された階調レベルｂ１、ｂ２に対応する輝度と略等しい。
【０１２４】
なお、上述した説明では、斜め方向から見た場合の黄色シフトを抑制したが、斜め方向から見た場合にシフトして見える色は黄色だけではない。以下の説明において、このように色がシフトして見えることを「色シフト」ともいう。本発明は、黄色シフト以外の色シフトを抑制してもよい。
【０１２５】
また、上述したように、液晶パネル２００はＶＡモードで動作する。ここで、液晶パネル２００の具体的な構成の例を説明する。例えば、液晶パネル２００はＭＶＡモードで動作してもよい。まず、図２１（ａ）〜図２１（ｃ）を参照してＭＶＡモードの液晶パネル２００の構成を説明する。
【０１２６】
液晶パネル２００は、画素電極２２４と、画素電極２２４と対向する対向電極２４４と、画素電極２２４と対向電極２４４との間に設けられた垂直配向型の液晶層２６０とを含む。なお、ここでは、配向膜を図示していない。
【０１２７】
液晶層２６０の画素電極２２４側にはスリット２２７やリブ２２８が設けられており、液晶層２６０の対向電極２４４側にはスリット２４７やリブ２４８が設けられている。液晶層２６０の画素電極２２４側に設けられたスリット２２７やリブ２２８は第１配向規制手段とも呼ばれ、液晶層２６０の対向電極２４４側に設けられたスリット２４７やリブ２４８は第２配向規制手段とも呼ばれる。
【０１２８】
第１配向規制手段と第２配向規制手段との間に規定される液晶領域においては、液晶分子２６２は、第１配向規制手段および第２配向規制手段からの配向規制力を受け、画素電極２２４と対向電極２４４との間に電圧が印加されると、図中に矢印で示した方向に倒れる（傾斜する）。すなわち、それぞれの液晶領域において液晶分子２６２は一様な方向に倒れるので、それぞれの液晶領域はドメインとみなすことができる。
【０１２９】
第１配向規制手段および第２配向規制手段（これらを総称して「配向規制手段」と呼ぶことがある。）は各サブ画素内で、それぞれ帯状に設けられており、図２１（ａ）〜図２１（ｃ）は帯状の配向規制手段の延設方向に直交する方向における断面図である。各配向規制手段のそれぞれの両側に液晶分子２６２が倒れる方向が互いに１８０°異なる液晶領域（ドメイン）が形成される。配向規制手段としては、特開平１１−２４２２２５号公報に開示されているような種々の配向規制手段（ドメイン規制手段）を用いることができる。
【０１３０】
図２１（ａ）では、第１配向規制手段として画素電極２２４にスリット（導電膜が存在しない部分）２２７が設けられ、第２配向規制手段としてリブ（突起）２４８が設けられている。スリット２２７およびリブ２４８はそれぞれ帯状（短冊状）に延設されている。スリット２２７は、画素電極２２４と対向電極２４４との間に電位差が形成されたときに、スリット２２７の端辺近傍の液晶層２６０に斜め電界を生成し、スリット２２７の延設方向に直交する方向に液晶分子２６２を配向させるように作用する。リブ２４８はその側面２４８ａに略垂直に液晶分子２６２を配向させることにより、液晶分子２６２をリブ２４８の延設方向に直交する方向に配向させるように作用する。スリット２２７とリブ２４８とは、一定の間隔をあけて互いに平行に配置されており、互いに隣接するスリット２２７とリブ２４８との間に液晶領域（ドメイン）が形成される。
【０１３１】
図２１（ｂ）では、第１配向規制手段および第２配向規制手段としてそれぞれリブ２２８とリブ２４８が設けられている点において、図２１（ａ）に示した構成とは異なる。リブ２２８とリブ２４８とは、一定の間隔をあけて互いに平行に配置されており、リブ２２８の側面２２８ａおよびリブ２４８の側面２４８ａに液晶分子２６２を略垂直に配向させるように作用することによって、これらの間に液晶領域（ドメイン）が形成される。
【０１３２】
図２１（ｃ）では、第１配向規制手段および第２配向規制手段としてそれぞれスリット２２７とスリット２４７とが設けられている点において、図２１（ａ）および（ｂ）に示した構成とは異なる。スリット２２７とスリット２４７とは、画素電極２２４と対向電極２４４との間に電位差が形成されたときに、スリット２２７および２４７の端辺近傍の液晶層２６０に斜め電界を生成し、スリット２２７および２４７の延設方向に直交する方向に液晶分子２６２を配向させるように作用する。スリット２２７とスリット２４７とは、一定の間隔をあけて互いに平行に配置されており、これらの間に液晶領域（ドメイン）が形成される。
【０１３３】
上述したように、第１配向規制手段および第２配向規制手段として、リブまたはスリットを任意の組み合わせで用いることができる。図２１（ａ）に示した液晶パネル２００の構成を採用すると、製造工程の増加を抑制できるという利点が得られる。画素電極にスリットを設けるとしても付加的な工程は必要なく、一方、対向電極については、リブを設ける方がスリットを設けるよりも工程数の増加が少ない。もちろん、配向規制手段としてリブだけを用いる構成、あるいはスリットだけを用いる構成を採用してもよい。
【０１３４】
図２２は、液晶パネル２００の断面構造を模式的に示す部分断面図であり、図２３は、液晶パネル２００の１つのサブ画素に対応する領域を模式的に示す平面図である。スリット２２７は帯状に延設されており、隣接するリブ２４８は互いに平行に配設されている。
【０１３５】
絶縁基板２２２の液晶層２６０側の表面には、図示しないゲート配線（走査線）およびソース配線（信号線）とＴＦＴが設けられており、さらにこれらを覆う層間絶縁膜２２５が設けられている。この層間絶縁膜２２５上に画素電極２２４が形成されている。画素電極２２４と対向電極２４４とは、液晶層２６０を介して互いに対向している。
【０１３６】
画素電極２２４には帯状のスリット２２７が形成されており、スリット２２７を含む画素電極２２４上のほぼ全面に垂直配向膜（不図示）が形成されている。スリット２２７は、図２３に示すように、帯状に延設されている。隣接する２つのスリット２２７は互いに平行に配設されており、且つ、隣接するリブ２４８の間隔を略二等分するように配置されている。
【０１３７】
互いに平行に延設された帯状のスリット２２７とリブ２４８との間の領域では、その両側のスリット２２７およびリブ２４８によって液晶分子２６２の配向方向が規制されており、スリット２２７およびリブ２４８のそれぞれの両側に液晶分子２６２の配向方向が互いに１８０°異なるドメインが形成されている。液晶パネル２００では、図２３に示すように、スリット２２７およびリブ２４８はそれぞれ９０°異なる２つの方向に沿って延設されており、各サブ画素内で、液晶分子２６２の配向方向が９０°異なる４種類のドメインが形成される
【０１３８】
また、絶縁基板２２２および絶縁基板２４２の外側に配置される一対の偏光板（不図示）は、透過軸が互いに略直交（クロスニコル状態）するように配置される。９０°ずつ配向方向が異なる４種類のドメインの全てに対して、それぞれの配向方向と偏光板の透過軸とが４５°を成すように配置すれば、ドメインの形成によるリタデーションの変化を最も効率的に利用することができる。そのため、偏光板の透過軸がスリット２２７およびリブ２４８の延設方向と略４５°を成すように配置することが好ましい。また、テレビのように、観察方向を表示面に対して水平に移動することが多い表示装置においては、一対の偏光板の一方の透過軸を表示面に対して水平方向に配置することが、表示品位の視野角依存性を抑制するために好ましい。上述の構成を有する液晶パネル２００では、各サブ画素において、液晶層２６０に所定の電圧が印加されたとき、液晶分子２６２が傾斜する方位が互いに異なる複数の領域（ドメイン）が形成されるので、広視野角の表示が実現される。
【０１３９】
なお、上述した説明では、液晶パネル２００はＭＶＡモードであったが、本発明はこれに限定されない。液晶パネル２００はＣＰＡモードで動作してもよい。
【０１４０】
以下、図２４および図２５を参照してＣＰＡモードの液晶パネル２００を説明する。図２４（ａ）に示す液晶パネル２００の分離電極２２４ａ、２２４ｂは、所定の位置に形成された複数の切欠き部２２４βを有し、これらの切欠き部２２４βによって複数の単位電極２２４αに分割されている。複数の単位電極２２４αのそれぞれは、略矩形状である。ここでは、分離電極２２４ａ、２２４ｂが３つの単位電極２２４αに分割される場合を例示しているが、分割数はこれに限定されるものではない。
【０１４１】
上述した構成を有する分離電極２２４ａ、２２４ｂと対向電極（不図示）との間に電圧を印加すると、分離電極２２４ａ、２２４ｂの外縁近傍と切欠き部２２４β内に生成される斜め電界によって、図２４（ｂ）に示すように、それぞれが軸対称配向（放射状傾斜配向）を呈する複数の液晶ドメインが形成される。液晶ドメインは、各単位電極２２４α上に１つずつ形成される。各液晶ドメイン内において、液晶分子２６２は、ほぼ全方位に傾斜する。つまり、液晶パネル２００では、液晶分子２６２が傾斜する方位が互いに異なる領域が無数に形成される。そのため、広視野角の表示が実現される。
【０１４２】
なお、図２４には、切欠き部２２４βが形成された分離電極２２４ａ、２２４ｂを例示したが、図２５に示すように、切欠き部２２４βに代えて開口部２２４γを形成してもよい。図２５に示す分離電極２２４ａ、２２４ｂは、複数の開口部２２４γを有し、これらの開口部２２４γによって複数の単位電極２２４αに分割されている。このような分離電極２２４ａ、２２４ｂと対向電極（不図示）との間に電圧を印加すると、分離電極２２４ａ、２２４ｂの外縁近傍と開口部２２４γ内に生成される斜め電界によって、それぞれが軸対称配向（放射状傾斜配向）を呈する複数の液晶ドメインが形成される。
【０１４３】
また、図２４および図２５には、１つの分離電極２２４ａ、２２４ｂに複数の切欠き部２２４βまたは開口部２２４γが設けられた構成を例示したが、分離電極２２４ａ、２２４ｂを二分割する場合には、切欠き部２２４βまたは開口部２２４γを１つだけ設けてもよい。つまり、分離電極２２４ａ、２２４ｂに少なくとも１つの切欠き部２２４βまたは開口部２２４γを設けることによって、軸対称配向の液晶ドメインを複数形成することができる。分離電極２２４ａ、２２４ｂの形状としては、例えば特開２００３−４３５２５号公報に開示されているような種々の形状を用いることができる。
【０１４４】
なお、上述した説明では、入力信号は、一般にカラーテレビ信号に用いられているＹＣｒＣｂ信号を想定したが、入力信号は、ＹＣｒＣｂ信号に限定されず、ＲＧＢ３原色の各サブ画素の輝度を示すものであってもよいし、ＹｅＭＣ（Ｙｅ：黄、Ｍ：マゼンタ、Ｃ：シアン）などの他の３原色の各サブ画素の輝度を示すものであってもよい。
【０１４５】
また、上述した説明では、補正部３００は彩度判定部３４０を有していたが、本発明はこれに限定されない。補正部３００は彩度判定部３４０を有しなくてもよい。
【０１４６】
また、上述した説明では、青サブ画素の輝度の調整を行う単位は行方向に隣接する２つの画素に属する青サブ画素であったが、本発明はこれに限定されない。青サブ画素の輝度の調整を行う単位は列方向に隣接する２つの画素に属する青サブ画素であってもよい。ただし、列方向に隣接する２つの画素に属する青サブ画素を１単位とする場合、ラインメモリ等が必要となり、規模の大きな回路が必要となる。
【０１４７】
図２６に、列方向に隣接する画素に属する２つの青サブ画素を１単位として輝度の調整を行うのに適した補正部３００の模式図を示す。図２６に示すように、補正部３００は、前段ラインメモリ３００ｓと、階調調整部３００ｔと、後段ラインメモリ３００ｕとを有している。入力信号に示された階調レベルｒ１、ｇ１、ｂ１はある画素に属する赤、緑および青サブ画素に相当するものであり、入力信号に示された階調レベルｒ２、ｇ２、ｂ２は次の行の画素に属する赤、緑および青サブ画素に相当するものである。前段ラインメモリ３００ｓにより、階調レベルｒ１、ｇ１およびｂ１は１ライン分遅延して階調調整部３００ｔに入力される。なお、階調調整部３００ｔは図１３を参照して説明した補正部と同様の構成を有している。階調レベルｒ１、ｒ２、ｇ１、ｇ２は補正されることなく階調調整部３００ｔを通過し、階調レベルｂ１、ｂ２は階調調整部３００ｔにおいて図４を参照して上述したように階調レベルｂ１’、ｂ２’に補正される。その後、後段ラインメモリ３００ｕにより、階調レベルｒ２、ｇ２、ｂ２’は１ライン分遅延される。補正部３００は以上のようにして列方向に隣接する画素に属する青サブ画素を１単位として輝度の調整を行う。
【０１４８】
なお、液晶表示装置では、独立ガンマ補正処理が行われてもよい。独立ガンマ補正処理が行われない場合、入力信号に示される色が黒から白にわたって無彩色のまま変化すると、液晶パネル２００に固有に、液晶パネル２００の正面からみた無彩色の色度が変化することがあるが、独立ガンマ補正処理を行うことにより、色度変化が抑制される。補正部３００は少なくとも所定の条件下において入力信号に示された各サブ画素のうちの少なくとも青サブ画素の階調レベルまたは対応する輝度レベルの補正を行う。
【０１４９】
この場合、入力信号に示された階調レベルｒｇｂは補正部３００および独立ガンマ補正処理部を介して入力された液晶パネル２００において輝度レベルに変換され、輝度レベルに応じた電圧が液晶パネル２００の液晶層２６０（図２（ａ））に印加される。
【０１５０】
以下、図２７を参照して、液晶表示装置１００’における補正部３００および独立ガンマ補正処理部４００を説明する。
【０１５１】
入力信号に示された階調レベルｒｇｂは少なくともある条件下において補正部３００で補正される。例えば、補正部３００は、入力信号に示された階調レベルｒおよびｇに対して補正を行わないが、階調レベルｂを階調レベルｂ’に補正する。この補正の詳細は後述する。補正部３００において補正の行われた階調レベルｒｇｂ’は独立ガンマ補正処理部４００に入力される。
【０１５２】
次に、独立ガンマ補正処理部４００は、階調レベルｒ、ｇ、ｂ’のそれぞれに対して独立ガンマ補正処理を行う赤処理部、緑処理部、青処理部を有している。これらの処理部の独立ガンマ補正処理により、階調レベルｒ、ｇ、ｂ’は階調レベルｒg、ｇg、ｂ’gに変換される。
【０１５３】
上述したように、独立ガンマ補正処理部４００により、明度の変化に応じた無彩色の色度変化が抑制される。しかしながら、独立ガンマ補正処理部４００だけでは、画素によって表示される色を正面方向から見た場合の無彩色の色度の変化を抑制できるものの、斜め方向から見ると、無彩色の色度が変化して無彩色が色味を帯びて見えることがある。このため、液晶表示装置１００’には補正部３００が設けられており、これにより、斜め方向からの無彩色の色度変化を抑制している。
【０１５４】
なお、図２７では、補正部３００が独立ガンマ補正処理部４００よりも前段に配置されていたが、本発明はこれに限定されない。独立ガンマ補正処理部４００は補正部３００よりも前段に配置されてもよい。この場合、独立ガンマ補正処理部４００は入力信号に示された階調レベルｒｇｂに対して独立ガンマ補正処理を行うことによって階調レベルｒg、ｇg、ｂgを得て、その後、補正部３００は先に独立ガンマ補正処理の行われた信号に対して補正を行う。補正部３００内における輝度階調変換の乗数として、固定値（例えば、２．２乗）ではなく、液晶表示パネル２００の特性に応じた値が用いられる。
【０１５５】
また、上述した説明では、階調レベルが入力信号に示されており、補正部３００は青サブ画素の階調レベルの補正を行ったが、本発明はこれに限定されない。輝度レベルが入力信号に示されているか、または、階調レベルを輝度レベルに変換した後に、補正部３００が青サブ画素の輝度レベルの補正を行ってもよい。ただし、輝度レベルは階調レベルの２．２乗であり、輝度レベルの精度としても階調レベルの２．２乗の精度が要求されるため、階調レベルの補正を行う回路は輝度レベルの補正を行う回路に比べて低コストで実現できる。
【０１５６】
また、上述した説明では、彩度判定および階調差レベルの決定は平均階調レベルに基づいて行われたが、本発明はこれに限定されない。彩度判定および階調差レベルの決定は平均輝度レベルに基づいて行われてもよい。ただし、輝度レベルは階調レベルの２．２乗したものであり、輝度レベルは階調レベルの２．２乗の精度を必要とする。このため、輝度差レベルを格納するルックアップテーブルは大きな回路規模を必要とするのに対して、階調差レベルを格納するルックアップテーブルは小さな回路規模で実現できる。
【産業上の利用可能性】
【０１５７】
本発明によれば、斜め方向からの表示品位の低下を抑制した液晶表示装置を提供することができる。
【符号の説明】
【０１５８】
１００    液晶表示装置
２００    液晶パネル
３００    補正部
４００    独立ガンマ補正処理部
【図１】
2011010637.tif 000003
【図２】
2011010637.tif 000004
【図３】
2011010637.tif 000005
【図４】
2011010637.tif 000006
【図５】
2011010637.tif 000007
【図６】
2011010637.tif 000008
【図７】
2011010637.tif 000009
【図８】
2011010637.tif 000010
【図９】
2011010637.tif 000011
【図１０】
2011010637.tif 000012
【図１１】
2011010637.tif 000013
【図１２】
2011010637.tif 000014
【図１３】
2011010637.tif 000015
【図１４】
2011010637.tif 000016
【図１５】
2011010637.tif 000017
【図１６】
2011010637.tif 000018
【図１７】
2011010637.tif 000019
【図１８】
2011010637.tif 000020
【図１９】
2011010637.tif 000021
【図２０】
2011010637.tif 000022
【図２１】
2011010637.tif 000023
【図２２】
2011010637.tif 000024
【図２３】
2011010637.tif 000025
【図２４】
2011010637.tif 000026
【図２５】
2011010637.tif 000027
【図２６】
2011010637.tif 000028
【図２７】
2011010637.tif 000029
【国際調査報告】
2011010637.tif 000030
2011010637.tif 000031
2011010637.tif 000032
2011010637.tif 000033